(57)【特許請求の範囲】
【請求項１】
移動局が少なくとも１つの他のネットワークノードを監視することを可能にするために、不連続送信モードで動作する前記少なくとも１つの他のネットワークノードに関するタイミング情報を提供するための第１のネットワークノードであって、
前記移動局によって受信されることになる信号であって、前記少なくとも１つの他のネットワークノードの休止状態とアクティブ状態との状態切り換えと関連付けられた、および／または前記少なくとも１つの他のネットワークノードの監視動作と関連付けられたタイミング情報を含む、信号を送信するために構成された送信機
を備え、
前記タイミング情報は、前記少なくとも１つの他のネットワークノードの休止状態の残り時間の指示を含む
ことを特徴とする第１のネットワークノード。
【請求項２】
移動局が少なくとも１つの他のネットワークノードを監視することを可能にするために、不連続送信モードで動作する前記少なくとも１つの他のネットワークノードに関するタイミング情報を提供するための第１のネットワークノードであって、
前記移動局によって受信されることになる信号であって、前記少なくとも１つの他のネットワークノードの休止状態とアクティブ状態との状態切り換えと関連付けられた、および／または前記少なくとも１つの他のネットワークノードの監視動作と関連付けられたタイミング情報を含む、信号を送信するために構成された送信機
を備え、
前記タイミング情報は、前記少なくとも１つの他のネットワークノードのアクティブ化の前に残された発見信号バーストの数を含む
ことを特徴とする第１のネットワークノード。
【請求項３】
前記タイミング情報は、前記少なくとも１つの他のネットワークノードの前記発見信号バーストの定期性の指示をさらに含むことを特徴とする請求項２に記載の第１のネットワークノード。
【請求項４】
移動局が少なくとも１つの他のネットワークノードを監視することを可能にするために、不連続送信モードで動作する前記少なくとも１つの他のネットワークノードに関するタイミング情報を提供するための第１のネットワークノードであって、
前記移動局によって受信されることになる信号であって、前記少なくとも１つの他のネットワークノードの休止状態とアクティブ状態との状態切り換えと関連付けられた、および／または前記少なくとも１つの他のネットワークノードの監視動作と関連付けられたタイミング情報を含む、信号を送信するために構成された送信機
を備え、
前記タイミング情報は、前記少なくとも１つの他のネットワークノードの休止状態の潜在的残り時間の推定値の集合を含む
ことを特徴とする第１のネットワークノード。
【請求項５】
前記タイミング情報は、不連続送信モードで動作する前記少なくとも１つの他のネットワークノードの監視を前記移動局が開始／停止する開始時間および／または停止時間を含むことを特徴とする請求項１乃至４のいずれかに記載の第１のネットワークノード。
【請求項６】
移動局が少なくとも１つの他のネットワークノードを監視することを可能にするために、不連続送信モードで動作する前記少なくとも１つの他のネットワークノードに関するタイミング情報を提供するための第１のネットワークノードであって、
前記移動局によって受信されることになる信号であって、前記少なくとも１つの他のネットワークノードの休止状態とアクティブ状態との状態切り換えと関連付けられた、および／または前記少なくとも１つの他のネットワークノードの監視動作と関連付けられたタイミング情報を含む、信号を送信するために構成された送信機
を備え、
前記タイミング情報は、前記移動局をトリガして前記少なくとも１つの他のネットワークノードの監視を開始および／または停止する単一ビットを含むことを特徴とする第１のネットワークノード。
【請求項７】
移動局が少なくとも１つの他のネットワークノードを監視することを可能にするために、不連続送信モードで動作する前記少なくとも１つの他のネットワークノードに関するタイミング情報を提供するための第１のネットワークノードであって、
前記移動局によって受信されることになる信号であって、前記少なくとも１つの他のネットワークノードの休止状態とアクティブ状態との状態切り換えと関連付けられた、および／または前記少なくとも１つの他のネットワークノードの監視動作と関連付けられたタイミング情報を含む、信号を送信するために構成された送信機
を備え、
前記タイミング情報は、タイムラグの集合を含み、各タイムラグは、前記移動局が前記少なくとも１つの他のネットワークノードの監視を開始するものとする遅延を示す
ことを特徴とする第１のネットワークノード。
【請求項８】
前記タイミング情報は、前記少なくとも１つの他のネットワークノードを監視するための少なくとも１つの時間ウィンドウをさらに含むことを特徴とする請求項１乃至７のいずれかに記載の第１のネットワークノード。
【請求項９】
前記少なくとも１つの他のネットワークノードは、複数の他のネットワークノードを備えることを特徴とする請求項１乃至８のいずれかに記載の第１のネットワークノード。
【請求項１０】
移動局が少なくとも１つの他のネットワークノードを監視することを可能にするために、不連続送信モードで動作する前記少なくとも１つの他のネットワークノードに関するタイミング情報を提供するための第１のネットワークノードであって、
前記移動局によって受信されることになる信号であって、前記少なくとも１つの他のネットワークノードの休止状態とアクティブ状態との状態切り換えと関連付けられた、および／または前記少なくとも１つの他のネットワークノードの監視動作と関連付けられたタイミング情報を含む、信号を送信するために構成された送信機
を備え、
前記送信された信号は、移動局固有または移動局グループ固有である
ことを特徴とする第１のネットワークノード。
【請求項１１】
前記少なくとも１つの他のネットワークノードの休止状態とアクティブ状態との前記状態切り換えと関連付けられたタイミング情報を取得するように構成されているプロセッサをさらに備えることを特徴とする請求項１乃至１０のいずれかに記載の第１のネットワークノード。
【請求項１２】
移動局が少なくとも１つの他のネットワークノードを監視することを可能にするために、不連続送信モードで動作する前記少なくとも１つの他のネットワークノードのタイミング情報を提供するための第１のネットワークノードにおける方法であって、
前記少なくとも１つの他のネットワークノードの休止状態とアクティブ状態との状態切り換えと関連付けられた、および／または前記移動局によって受信されることになる、前記少なくとも１つの他のネットワークノードの監視動作と関連付けられたタイミング情報を含む信号を送信するステップ
を含み、
前記タイミング情報は、前記少なくとも１つの他のネットワークノードの休止状態の残り時間の指示を含む
ことを特徴とする移動局。
【請求項１３】
前記少なくとも１つの他のネットワークノードの休止状態とアクティブ状態との前記状態切り換えと関連付けられたタイミング情報を取得するステップをさらに含むことを特徴とする請求項１２に記載の方法。
【請求項１４】
第１のネットワークノードから受信されたタイミング情報に基づいて、不連続送信モードで動作する少なくとも１つの他のネットワークノードを監視するための移動局であって、
前記少なくとも１つの他のネットワークノードの休止状態とアクティブ状態との状態切り換えと関連付けられた、および／または前記少なくとも１つの他のネットワークノードの監視動作と関連付けられたタイミング情報を含む信号を受信するために構成された受信機と、
受信された前記タイミング情報により、不連続送信モードで動作する前記少なくとも１つの他のネットワークノードを監視するために構成されたプロセッサと
を備え、
前記タイミング情報は、前記少なくとも１つの他のネットワークノードの休止状態の残り時間の指示を含む
ことを特徴とする移動局。
【請求項１５】
前記プロセッサは、受信された前記タイミング情報に基づいて前記少なくとも１つの他のネットワークノードが状態をアクティブ状態に切り換えることになっている第１の瞬間を算出するため、およびまた、前記監視が始められる第２の瞬間を算出するためにさらに構成されることを特徴とする請求項１４に記載の移動局。
【請求項１６】
前記プロセッサは、前記第１のネットワークノードから受信された前記タイミング情報に基づいて前記少なくとも１つの他のネットワークノードから受信された信号を測定するためにさらに構成され、前記移動局は、前記第１のネットワークノードによって受信されることになる、前記少なくとも１つの他のネットワークノードから受信された前記信号の測定データを送信するために構成された送信機をさらに備えることを特徴とする請求項１４または１５に記載の移動局。
【請求項１７】
第１のネットワークノードから受信されたタイミング情報に基づいて、不連続送信モードで動作する少なくとも１つの他のネットワークノードを監視するための、移動局における方法であって、
前記少なくとも１つの他のネットワークノードの休止状態とアクティブ状態との状態切り換えと関連付けられた、および／または前記少なくとも１つの他のネットワークノードの監視動作と関連付けられたタイミング情報を含む信号を受信するステップと、
前記受信されたタイミング情報に基づいて、不連続送信モードで動作する前記少なくとも１つの他のネットワークノードを監視するステップと
を含み、
前記タイミング情報は、前記少なくとも１つの他のネットワークノードの休止状態の残り時間の指示を含む
ことを特徴とする方法。
【請求項１８】
受信されたタイミング情報に基づいて、前記少なくとも１つの他のネットワークノードが状態をアクティブ状態に切り換えることになる第１の瞬間を算出するステップと、監視が始められる第２の瞬間を算出するステップもさらに含むことを特徴とする請求項１７に記載の方法。
【請求項１９】
前記少なくとも１つの他のネットワークノードの監視は、前記少なくとも１つの他のネットワークノードから受信された信号を測定するステップを含み、前記方法は、
前記第１のネットワークノードによって受信されることになる、前記少なくとも１つの他のネットワークノードから受信された前記信号の測定データを送信するステップをさらに含むことを特徴とする請求項１７または１８に記載の方法。
【発明の詳細な説明】
【技術分野】
【０００１】
本明細書で説明される実装形態は一般に、第１のネットワークノード、第１のネットワークノードにおける方法、移動局、および移動局における方法に関する。詳細には、不連続送信モードで動作する少なくとも１つの他のネットワークノードを移動局が監視することを可能にするための機構が本明細書で説明される。
【背景技術】
【０００２】
ユーザ機器（ＵＥ）、ワイヤレス端末、および／またはモバイル端末としても知られる移動局は、セルラー無線システムと呼ばれることもあるワイヤレス通信ネットワークにおいてワイヤレスに通信することが可能にされる。通信は、たとえば、無線アクセスネットワーク（ＲＡＮ）および場合によっては１または複数のコアネットワークを介して、ユーザ機器間、ユーザ機器とワイヤ接続された電話との間、および／またはユーザ機器とサーバとの間でされることがある。ワイヤレス通信は、音声、メッセージ、パケットデータ、ビデオ、ブロードキャストなどのさまざまな通信サービスを含み得る。
【０００３】
移動局はさらに、モバイル電話、セルラー電話、コンピュータタブレット、またはワイヤレス能力を有するラップトップなどと呼ばれることがある。この文脈における移動局は、たとえば、別の移動局、据え付け型エンティティ、またはサーバなどの別のエンティティと、無線アクセスネットワークを介して音声および／またはデータを通信することが可能にされた、ポータブルモバイルデバイス、ポケットに格納可能なモバイルデバイス、ハンドヘルドモバイルデバイス、コンピュータから構成されるモバイルデバイス、または乗り物に搭載されたモバイルデバイスであってよい。
【０００４】
ワイヤレス通信ネットワークは、セルエリアに分割された地理的エリアを包含し、各セルエリアは、ネットワークノード、無線ネットワークノード、または基地局、たとえば無線基地局（ＲＢＳ）または送受信基地局（ＢＴＳ）によってサービスされ、基地局は、使用される技術および／または用語に応じて、いくつかのネットワークでは「ｅＮＢ」、「ｅＮｏｄｅＢ」、「ＮｏｄｅＢ」、または「Ｂノード」と呼ばれることがある。
【０００５】
時には、「セル」という表現が、ネットワークノード自体を示すために使用されることがある。しかしながら、セルはまた、通常の用語では、無線カバレッジが基地局サイトにおいてネットワークノードによって提供される地理的エリアに使用され得る。基地局サイトに置かれた１つのネットワークノードは、１またはいくつかのセルをサービスし得る。ネットワークノードは、それぞれのネットワークノードの範囲内にある任意の移動局とともに無線周波数上で動作するエア（air）インタフェースを通じて通信し得る。
【０００６】
いくつかの無線アクセスネットワークでは、いくつかのネットワークノードは、たとえばユニバーサル移動体通信システム（ＵＭＴＳ）内で、たとえば陸線またはマイクロ波によって、無線ネットワークコントローラ（ＲＮＣ）に接続され得る。たとえばＧＳＭ（登録商標）内で、基地局コントローラ（ＢＳＣ）と時々呼ばれることもあるＲＮＣは、それに接続された複数の無線ネットワークノードのさまざまな活動を監督し、協調させ得る。ＧＳＭは、Ｇｌｏｂａｌ  Ｓｙｓｔｅｍ  ｆｏｒ  Ｍｏｂｉｌｅ  Ｃｏｍｍｕｎｉｃａｔｉｏｎｓ（当初は、Ｇｒｏｕｐｅ  Ｓｐｅｃｉａｌ  Ｍｏｂｉｌｅ）の略称である。
【０００７】
第３世代パートナーシッププロジェクト（３ＧＰＰ）ロングタームエボリューション（ＬＴＥ）では、ｅＮｏｄｅＢまたはｅＮＢと呼ばれることがあるネットワークノードは、ゲートウェイ、たとえば無線アクセスゲートウェイに、１または複数のコアネットワークに接続され得る。ＬＴＥは、ＧＳＭ／ＥＤＧＥおよびＵＭＴＳ／ＨＳＰＡネットワーク技術に基づいており、コアネットワーク改善とともに異なる無線インタフェースを使用して能力および速度を増加させる。
【０００８】
ＬＴＥ−Ａｄｖａｎｃｅｄ、すなわちＬＴＥリリース１０および後のリリースは、コスト効率の良い方法で、より高いビットレートを提供し、同時に、国際電気通信連合（ＩＴＵ）によって設定された、４Ｇとも呼ばれるＩｎｔｅｒｎａｔｉｏｎａｌ  Ｍｏｂｉｌｅ  Ｔｅｌｅｃｏｍｍｕｎｉｃａｔｉｏｎｓ（ＩＭＴ）Ａｄｖａｎｃｅｄの要件を完全に満たすように設定される。
【０００９】
この文脈では、ダウンリンク、ダウンストリームリンク、またはフォワードリンクという表現は、ネットワークノードから移動局への伝送経路に使用され得る。アップリンク、アップストリームリンク、またはリバースリンクという表現は、反対方向の、すなわち移動局からネットワークノードへの伝送経路に使用され得る。
【００１０】
無線ネットワークノードの高密度化は、将来の無線アクセスネットワークに想像されるスペクトル効率要件につながると予想される。しかしながら、研究は、簡単なネットワーク高密度化が全体的なエネルギーコストを著しく増加させることを示している。したがって、高密度無線アクセスネットワークの将来の世代が、スペクトル効率とエネルギー効率の両方が良いように協調設計されるべきである。
【００１１】
従来の４Ｇ無線セルラーシステム内のネットワークノードは、ユーザデータプレーンでサブフレームの約５％を送信することが証明されているが、この数字は、より高密度なネットワークでは、たとえば１％以下と著しく低いことがある。したがって、スペクトル効率要件とエネルギー効率要件の両方を満たすために、高密度ネットワーク内のネットワークノードは、ネットワークノードのオン／オフを動的に切り換えて、トラフィックの変動または他の関連ネットワーク統計量に追従することが可能である。より実際的には、ネットワークノードは、不連続送信（ＤＴＸ）モードで動作するものとするが、ネットワークノードは、サービスされるトラフィックが存在するときは、アクティブであるが、そうでない場合は、限られた送信能力および受信能力を有する休止状態に移行する。したがって、１％の不連続送信比では、数十から数百ミリ秒（たとえば、１００ｍｓ）の送信時間の場合、「オフ時間」は数十秒（たとえば、１０ｓ）程度になるだろう。
【００１２】
関連技術ＬＴＥシステムの将来のリリースは、たとえば、この特徴を、拡張されたスモールセル動作に採用する（すなわち、マイクロセル、ピコセル、ナノセルなどと時々呼ばれる、小さなカバレッジエリアを有するネットワークノード）。一般的なシナリオは、２つのケース、すなわち（ａ）大きなカバレッジを提供するマクロセル層と、マクロセル層と同じ周波数帯域内（すなわち、同一チャネル展開）または共通要素のない（disjoint）周波数帯域内（すなわち、非同一チャネル展開）に展開されるスモールセルノードのクラスタ、および（ｂ）マクロカバレッジのないスモールセルの孤立クラスタ、によって例示され得る。第１のケースでは、マクロセル（ＬＴＥ用語では、別名プライマリセル（Ｐ-ｃｅｌｌ）またはサービングセル）は、スモールセル層（別名セカンダリセル（Ｓ-ｃｅｌｌ））内で動作するために移動局にネットワーク支援を提供し得る。第２のケースでは、ネットワーク支援は、クラスタヘッドならびにスモールセル動作間の協調によって提供され得る。
【００１３】
非常に短いアクティブ時間を備えた長いＤＴＸサイクルでネットワークノードが動作することを可能にすることは、セル発見手順の効率および移動局における相対エネルギー消費量において厳しい結果を有する。関連技術３ＧＰＰ  ＬＴＥシステムのセルサーチ手順は、たとえば、常にアクティブであると仮定されるマクロ基地局（ｅＮｏｄｅＢ）の疎な展開のために設計される。この手順は、移動局が時間および周波数同期を獲得するセル検出ステップを含み、それに続いて、他のダウンリンク信号を復調するために必要な他の重要なシステムパラメータを移動局が獲得する段階がある。セル検出は、プライマリ同期信号およびセカンダリ同期信号（ＰＳＳ／ＳＳＳ）に基づく同期ステップと、これに続く、セルＩＤを検証し、初期信号強度測定を実行するために使用されるダウンリンク共通基準信号（ＣＲＳ）に基づくステップを含む。これらの測定は、セルサーチ手順の一部としてアイドルモードの移動局によって、ならびにハンドオーバの目的で近接セルのセットをサービングセルによって監視するために必要とされるときＲＲＣ接続モードの移動局によって、実行される。
【００１４】
表１に記載されたセル検出の要件は、最小信号対干渉雑音比（ＳＩＮＲ）条件を最大許容検出時間と組み合わせており、たとえば、同一周波数内の場合は（６ｄＢ、８００ｍｓ）を２００ｍｓの測定期間と組み合わせたものである。測定サンプリングは実装形態固有であるが、一般的な値は、４０ｍｓあたり、または間欠受信（ＤＲＸ）サイクルあたり、１〜２ｍｓサンプル／スナップショットである。
【００１５】
【表１】
0006323964.tif 000002
【００１６】
ネットワークノードのためのＤＴＸ動作の導入により、一般的に移動局がネットワークノードを検出し、信号に同期し、信号強度を測定し、ネットワークにアクセスするのを助けるために送信されたいくつかまたはすべての信号は、不在であるか、または散発的にのみ送信されるかのどちらかであってよい。休止セルの存在を検出することはしたがって、より長い監視時間を必要とし、それによって、移動局のバッテリを枯渇させ得る。一方、従来技術手順は、移動局が不連続送信で動作し、それに続いて非常に短いアクティブ時間があるときにネットワークノードから信号強度測定を迅速に検出および実行することを可能にするのに十分に高速でない。したがって、移動局が、休止ネットワークノードの存在だけでなく、ネットワークノードがＤＴＸモードで動作するとき移動局におけるバッテリの非効率的な使用を回避することを決定するのを助ける新しい解決策が必要とされる。
【００１７】
通信システム内のネットワークノードが、不連続送信（ＤＴＸ）モード、すなわち、限られた送信／受信能力を有する長い休止状態と、それに続く短いアクティブ時間を用いて動作することが可能にされるとき、移動局におけるセルの高速でエネルギー効率の良い検出を保証することが問題である。ネットワークノードを検出するのに失敗した移動局は、それに近接した休止セル間のより短い再アクティブ化サイクルと（少なくとも）同じ間、調査手順を拡張する必要があることがある。さらなる問題は、ＤＴＸ状態のネットワークノードについてのタイミリーな信号強度測定、すなわち無線リソース管理（ＲＲＭ）測定および／または無線リンク管理（ＲＬＭ）測定などに関連する。特に、移動局が、ＤＴＸモードで動作するネットワークノードの信号強度を監視するように構成されるとき、ネットワークノードがアクティブ状態に戻る前に測定があまりにも早くおよび／またはあまりにも頻繁に行われる場合、移動局は、エネルギーを不必要に消費することがある。
【００１８】
したがって、ネットワークノードが低デューティサイクル不連続送信モードで動作することができるとき、移動局においてタイムリーでエネルギー効率の良いセル検出およびＲＲＭ／ＲＬＭ測定を保証することが、以前に知られている関連技術の問題である。
【００１９】
関連技術３ＧＰＰ  ＬＴＥ  Ａｄｖａｎｃｅｄシステムでは、低デューティサイクル不連続送信（ＤＴＸ）モードの休止状態のネットワークノードは、発見基準信号（ＤＲＳ）を送信して、それに近接する移動局がその存在を検出し、信号強度を測定する助けとなるものとする。３ＧＰＰ  ＬＴＥ−Ａにおける発見信号は、２つの問題、すなわち１）より高密度なスモールセル展開においてアクティブなセルの検出性能を高めること、および２）休止状態（別名「オフ状態」）のスモールセルの発見を可能にすること、に関して研究されている。しかしながら、これらの２つのケースにおいてスモールセルを検出するための要件および解決策は、かなり異なることがある。第１のケースでは、アクティブなセルは、旧来のＰＳＳ／ＳＳＳ／ＣＲＳ信号を少なくとも使用し続けると予想され、セルサーチ手順の性能は、たとえば、ＰＳＳ／ＳＳＳ干渉除去に基づく方法によって改善可能である。しかしながら、第２のケースでは、主な目的は、移動局が休止状態のセルの存在を検出し、ＲＲＭ測定を実行することを可能にすることである。移動局におけるスモールセル発見のエネルギー効率は、両方のケースにおいて重要な態様であり、したがって、発見信号の設計で考慮に入れられるべきである。
【００２０】
ＤＴＸ期間の間にネットワークノードによって送信される発見信号は、移動局が検出して休止ネットワークノードの存在を推測できるダウンリンク信号の短時間のバースト的送信からなる。３ＧＰＰ  ＴＳＧ−ＲＡＮ  ＷＧ１は、現在、既存の同期信号（すなわち、ＰＳＳ／ＳＳＳ）の定期的バースト、チャネル状態情報基準信号（ＣＳＩ−ＲＳ）、ポジショニング基準信号（ＰＲＳ）、ＬＴＥ同期信号およびＬＴＥにおける基準信号の修正版、またはそれらの組み合わせなどの既存の基準信号に基づいた、関連技術ＬＴＥ−ＡのためのＤＲＳ設計を検討している。
【００２１】
たとえば、ＣＳＩ−ＲＳおよびＰＲＳは、セルのクラスタ内の発見信号の同期された送信の設計に検討されている。１つの方法は、すべての他の構成パターンのためのＣＳＩ−ＲＳリソースをミュートしながらクラスタ内の各スモールセルに異なる構成パターンのＣＳＩＲＳを送信させ、それによって、クラスタ内で完全に直交するＤＲＳを可能にすることである。別の方法は、スモールセルに、物理セルＩＤ（ＰＣＩ）による再使用係数６のサブキャリアシフトを用いてＰＲＳ信号を送信させることである。いずれにしても、移動局は、信号の構成、たとえば、各セルによって使用されるキャリア、帯域幅、および時間周波数リソースを獲得するネットワーク支援という利点を持ち得る。
【００２２】
ＬＴＥではＲＲＣ接続された移動局と呼ばれる、アクティブなサービングセルへの接続を有する移動局は一般的には、隣接セルのセットの基準信号を監視して、ハンドオーバ手順を容易にするためのＲＲＭ／ＲＬＭ測定を実行することが必要とされる。ＲＲＣ接続された移動局の場合、サービングネットワークノードは、ＤＴＸモードの他のネットワークノードの存在を検出する支援を提供し得る。一例では、サービングネットワークノードは、そのカバレッジエリア内の同期されたスモールセルのクラスタのおおよそのタイミングを提供し得、したがって、移動局は、スモールセルクラスタに同期することを回避することによって、セル検出に関する労力を減少させることができる。サービングネットワークノードは、移動局に、移動局が監視することが必要とされる休止状態の隣接ネットワークノードを識別するために必要なＰＣＩに似た情報ならびに基準信号の構成に関連する情報をさら知らせ得る。
【００２３】
反対に、ＲＲＣアイドルモードの移動局は特定のセルに属さず、接続がセルと正式に確立される前に行われ得るデータ転送はない。この場合、移動局が休止状態のネットワークノードの存在を検出するためのネットワーク支援は、提供することができない。旧来のＬＴＥ  セルサーチ手順では、アクティブなセルを検出することができない移動局は、移動局の近くの休止ネットワークノード間で、（少なくとも）より短い再アクティブ化サイクルと同じ長さの間、セルサーチを続ける。これは数十秒に達し得るので、セルサーチは、移動局バッテリを激しく枯渇させるであろう。
【００２４】
しかしながら、知られている従来技術は、ＲＲＣアイドル移動局および／またはＲＲＣ接続された移動局のどちらかにタイムリーでエネルギー効率の良いセル検出およびＲＲＭ／ＲＬＭ測定を保証することはできない。したがって、エネルギー効率の観点から、移動局を支援する新しい機構を導入することが望ましい。
【発明の概要】
【課題を解決するための手段】
【００２５】
したがって、上記で述べた欠点のうちの少なくともいくつかを取り除き、移動局がワイヤレス通信ネットワーク内の休止状態のネットワークノードを監視する助けとなることが目的である。
【００２６】
これおよび他の目的は、添付の独立請求項の特徴によって達成される。さらなる実装形態形式は、従属請求項、説明、および図から明らかである。
【００２７】
第１の態様によれば、移動局が少なくとも１つの他のネットワークノードを監視することを可能にするための、不連続送信モードで動作する少なくとも１つの他のネットワークノードに関するタイミング情報を提供するために構成された第１のネットワークノードが提供される。第１のネットワークノードは、少なくとも１つの他のネットワークノードの休止状態とアクティブ状態との状態切り換えと関連付けられた、および／または移動局によって受信されることになる、少なくとも１つの他のネットワークノードの動作の監視と関連付けられたタイミング情報を含む信号を送信するために構成された送信機を備える。
【００２８】
それによって、ワイヤレス通信ネットワーク内の他のネットワークノードが低デューティサイクル不連続送信モードで動作し得るとき、移動局におけるタイムリーでエネルギー効率の良いセル検出およびＲＲＭ／ＲＬＭ測定が保証される。さらに、移動局に対する短い監視時間を可能にすることによって、移動局のバッテリ作業時間が延長され得る。
【００２９】
第１の態様による第１のネットワークノードの第１の可能な実装形態では、第１のネットワークノードは、少なくとも１つの他のネットワークノードの休止状態とアクティブ状態との状態切り換えと関連付けられたタイミング情報を取得するために構成されたプロセッサも備える。
【００３０】
他のネットワークノードのタイミング情報を取得することによる利点は、たとえば第１のネットワークノードと他のネットワークノードの両方がピアである、またはスモールセルノードのクラスタ内にスモールセルノードを含むとき、第１のネットワークノードと他のネットワークノードとの関係とは無関係に、第１のネットワークノードが、少なくとも１つの他のネットワークノードの休止状態とアクティブ状態との状態切り換えと関連付けられた正確な情報を移動局に提供することが可能であることである。
【００３１】
第１の態様または第１の態様の第１の可能な実装形態による第１のネットワークノードの第２の可能な実装形態では、タイミング情報は、少なくとも１つの他のネットワークノードの休止状態の残り時間の指示を含み得る。
【００３２】
それによって、移動局が、不必要な測定を行うことなく、または延長された測定時間を必要とすることなく、受信された他のネットワークノードの休止状態の残り時間の指示に基づいて、少なくとも１つの他のネットワークノードをいつ監視するべきかを自律的に決めることが可能である。
【００３３】
第１の態様または第１の態様の前の実装形態のいずれかによる第１のネットワークノードの第３の可能な実装形態では、タイミング情報は、少なくとも１つの他のネットワークノードのアクティブ化の前に残された発見信号バーストの数を含み得る。
【００３４】
アクティブ状態への切り換えの前に残された発見信号バーストの数を提供することによって、移動局は、場合によっては他のネットワークノードの発見信号の定期性を推定することによって、他のネットワークノードがいつアクティブ化され得るかを決定し、それによって、他のネットワークノードをいつ監視するべきかを自律的に決定することが可能にされる。
【００３５】
第３の可能な実装形態による第１のネットワークノードの第４の可能な実装形態では、タイミング情報は、少なくとも１つの他のネットワークノードの発見信号バーストの定期性の指示を含み得る。
【００３６】
移動局に少なくとも１つの他のネットワークノードの発見信号バーストの定期性の指示が提供される利点により、処理労力、それにより時間とバッテリ電力が移動局において節約される。
【００３７】
第１の態様または前の実装形態のいずれかによる第１のネットワークノードの第５の可能な実装形態では、タイミング情報は、少なくとも１つの他のネットワークノードの休止状態の潜在的な残り時間の推定値の集合を含み得る。
【００３８】
他の利益に加えて、この実装形態は、移動局が、ＤＴＸモードで動作する他のネットワークノードを監視する、すなわち、ＲＲＭ／ＲＬＭ測定を検出および／または実行するべきかどうか、ならびにいつ監視する、すなわち、ＲＲＭ／ＲＬＭ測定を検出および／または実行するべきかを自律的に決定することを可能にする。
【００３９】
第１の態様または前の可能な実装形態のいずれかによる第１のネットワークノードの第６の実装形態では、タイミング情報は、不連続送信モードで動作する少なくとも１つの他のネットワークノードの監視を移動局が開始／停止する開示時間および／または停止時間を含み得る。
【００４０】
この実装形態の他の利益に加えて、利点は、それがいつどの他のネットワークノードの監視を開始するべきかを移動局に示すために減少されたシグナリングオーバーヘッドを含む。
【００４１】
第１の態様または前の可能な実装形態のいずれかによる第１のネットワークノードの第７の実装形態では、タイミング情報は、移動局をトリガして少なくとも１つの他のネットワークノードの監視を開始および／または停止する単一ビットを含み得る。
【００４２】
この実施形態の利点は、移動局の監視動作を制御するためのシグナリングオーバーヘッドをさらに減少させることである。
【００４３】
第１の態様または前の可能な実装形態のいずれかによる第１のネットワークノードの第８の実装形態では、タイミング情報はタイムラグの集合を含み得、各タイムラグは、少なくとも１つの他のネットワークノードの監視を移動局が開始し得る遅延を示す。
【００４４】
いくつかのそのような実施形態による利点は、第１のネットワークノードが、まさに少なくとも１つの他のネットワークノードの監視を移動局が開始する瞬間ではなく、他の任意の、時間的に前の好都合な瞬間に、タイミング情報を含む信号を送信し得ることである。また、第１のネットワークノードは、場合によっては時間の異なる瞬間に、異なる他のネットワークノードの監視を移動局が開始することを可能にする複数のトリガリング信号を送信し得る。
【００４５】
第１の態様または前の可能な実装形態のいずれかによる第１のネットワークノードの第９の実装形態では、タイミング情報は、少なくとも１つの他のネットワークノードを監視するための少なくとも１つの時間ウィンドウを含み得る。
【００４６】
この実施形態は、他の実施形態と組み合わせると、ＤＴＸモードで動作する他のネットワークノードを移動局がどれくらい長い時間監視し得るかを示し、したがって、エネルギー節約と、それによりバッテリ活動時間の延長を移動局にもたらすという利点を有する。
【００４７】
第１の態様または前の可能な実装形態のいずれかによる第１のネットワークノードの第１０の実装形態では、少なくとも１つの他のネットワークノードは、複数の他のネットワークノードを含み得る。
【００４８】
それによって、第１のネットワークノードから受信されたタイミング情報に基づいて、移動局が複数の他のネットワークノードを監視することが可能にされる。
【００４９】
第１の態様または前の可能な実装形態のいずれかによる第１のネットワークノードの第１１の実装形態では、送信された信号は移動局固有であってもよいし、移動局グループ固有であってもよい。
【００５０】
この実施形態の１つの利点は、信号自体が、不連続送信で動作する１または複数の他のネットワークノードを監視するための開始時間の暗黙的指示として使用されることを可能にし、それによりエネルギー節約をもたらすことである。
【００５１】
第２の態様によれば、第１のネットワークノードにおいて使用するための方法が提供される。この方法は、不連続送信モードで動作する少なくとも１つの他のネットワークノードを移動局が監視することを可能にするために、この少なくとも１つの他のネットワークノードのタイミング情報を提供することを目標とする。この方法は、少なくとも１つの他のネットワークノードの休止状態とアクティブ状態との状態切り換えと関連付けられた、および／または移動局によって受信されることになる、少なくとも１つの他のネットワークノードの監視動作と関連付けられたタイミング情報を含む信号を送信することを含む。
【００５２】
それによって、ワイヤレス通信ネットワーク内の他のネットワークノードが低デューティサイクル不連続送信モードで動作し得るとき、移動局におけるタイムリーでエネルギー効率の良いセル検出およびＲＲＭ／ＲＬＭ測定が保証される。さらに、移動局に対する短い監視時間を可能にすることによって、移動局のバッテリ作業時間が延長され得る。
【００５３】
方法の利点は、ＤＴＸモードで動作する他のネットワークノードの存在を検出するおよび／またはＤＴＸモードで動作する他のネットワークノードからＲＲＭ／ＲＬＭ測定を実行するための移動局の処理労力を減少させることである。さらなる利点は、休止ネットワークノードのセル検出を短縮することを可能にすることによって、および不必要なＲＲＭ／ＲＬＭ測定を回避することによって、移動局におけるエネルギー節約を可能にすることである。
【００５４】
第２の態様による方法の第１の可能な実装形態では、方法は、少なくとも１つの他のネットワークノードの休止状態とアクティブ状態との状態切り換えと関連付けられたタイミング情報を取得することも含む。
【００５５】
他のネットワークノードのタイミング情報を取得することによる利点は、たとえば第１のネットワークノードと他のネットワークノードの両方がピアである、またはスモールセルノードのクラスタ内にスモールセルノードを含むとき、第１のネットワークノードと他のネットワークノードとの関係とは無関係に、第１のネットワークノードが、少なくとも１つの他のネットワークノードの休止状態とアクティブ状態との状態切り換えと関連付けられた正確な情報を提供することが可能であることである。
【００５６】
第３の態様によれば、第１のネットワークノードから受信されたタイミング情報に基づいて、不連続送信モードで動作する少なくとも１つの他のネットワークノードを監視するための移動局が提供される。移動局は、少なくとも１つの他のネットワークノードの休止状態とアクティブ状態との状態切り換えと関連付けられた、および／または少なくとも１つの他のネットワークノードの監視動作と関連付けられたタイミング情報を含む信号を受信するために構成された受信機を備える。また、移動局は、受信されたタイミング情報により、不連続送信モードで動作する少なくとも１つの他のネットワークノードを監視するために構成されたプロセッサを備える。
【００５７】
それによって、ワイヤレス通信ネットワーク内の他のネットワークノードが低デューティサイクル不連続送信モードで動作し得るとき、移動局におけるタイムリーでエネルギー効率の良いセル検出およびＲＲＭ／ＲＬＭ測定が保証される。さらに、移動局に対する短い監視時間を可能にすることによって、移動局のバッテリ作業時間が延長され得る。
【００５８】
第３の態様による移動局の第１の可能な実装形態では、プロセッサは、受信されたタイミング情報に基づいて、少なくとも１つの他のネットワークノードが状態をアクティブ状態に切り換えることになる第１の瞬間を算出し、監視が始められる第２の瞬間も算出するためにさらに構成され得る。
【００５９】
それによる利点は、それによって、たとえば、第１のネットワークノードと他のネットワークノードの両方がピアである、またはスモールセルノードのクラスタ内にスモールセルノードを含むとき、第１のネットワークノードと他のネットワークノードとの関係とは無関係に、他のネットワークノードの監視が始められるべきである瞬間を移動局が算出することが可能にされることを含む。
【００６０】
第３の態様または第３の態様の第１の可能な実装形態による移動局の第２の可能な実装形態では、プロセッサは、第１のネットワークノードから受信されたタイミング情報に基づいて、少なくとも１つの他のネットワークノードから受信された信号を測定するためにさらに構成され得る。また、移動局は、第１のネットワークノードによって受信されることになる、少なくとも１つの他のネットワークノードから受信された信号の測定データを送信するために構成された送信機をさらに含み得る。
【００６１】
移動局において他のネットワークノードの信号強度／品質を測定し、そのような測定を第１のネットワークノードに提供することによる利点は、第１のネットワークノードが、たとえば、なされた測定に基づいて、移動局を他のネットワークノードにハンドオーバすることを決定するために測定を利用し、ワイヤレス通信ネットワークの改善された機能をもたらし得ることである。
【００６２】
第４の態様によれば、第１のネットワークノードから受信されたタイミング情報に基づいて、不連続送信モードで動作する少なくとも１つの他のネットワークノードを監視するために構成された移動局において、方法が提供される。この方法は、少なくとも１つの他のネットワークノードの休止状態とアクティブ状態との状態切り換えと関連付けられた、および／または少なくとも１つの他のネットワークノードの監視動作と関連付けられたタイミング情報を含む信号を受信することを含む。さらに、この方法は、受信されたタイミング情報に基づいて、不連続送信モードで動作する少なくとも１つの他のネットワークノードを監視することを含む。
【００６３】
それによって、ワイヤレス通信ネットワーク内の他のネットワークノードが低デューティサイクル不連続送信モードで動作し得るとき、移動局におけるタイムリーでエネルギー効率の良いセル検出およびＲＲＭ／ＲＬＭ測定が保証される。さらに、移動局に対する短い監視時間を可能にすることによって、移動局のバッテリ作業時間が延長され得る。
【００６４】
方法の利点は、ＤＴＸモードで動作する他のネットワークノードの存在を検出するおよび／またはＤＴＸモードで動作する他のネットワークノードからＲＲＭ／ＲＬＭ測定を実行するための移動局の処理労力を減少させることである。さらなる利点は、休止ネットワークノードのセル検出を短縮することを可能にすることによって、および不必要なＲＲＭ／ＲＬＭ測定を回避することによって、移動局におけるエネルギー節約を可能にすることである。
【００６５】
第４の態様による方法の第１の可能な実装形態では、方法は、受信されたタイミング情報に基づいて、少なくとも１つの他のネットワークノードが状態をアクティブ状態に切り換えることになる第１の瞬間を算出することと、監視が始められる第２の瞬間を算出することをさらに含む。
【００６６】
それによる利点は、移動局が、不必要な測定を行うことなく、または延長された測定時間を必要とすることなく、受信されたタイミング情報に基づいて、少なくとも１つの他のネットワークノードをいつ監視するべきかを自律的に決め得ることである。
【００６７】
第４の態様または第４の態様の第１の可能な実装形態による方法の第２の可能な実装形態では、少なくとも１つの他のネットワークノードの監視は、少なくとも１つの他のネットワークノードから受信された信号を検出および／または測定することを含み得る。また、方法は、第１のネットワークノードによって受信されることになる、少なくとも１つの他のネットワークノードから受信された信号の測定データを送信することをさらに含む。
【００６８】
移動局において他のネットワークノードの信号強度／品質を測定し、そのような測定を第１のネットワークノードに提供することによる利点は、第１のネットワークノードが、たとえば、なされた測定に基づいて、移動局を他のネットワークノードにハンドオーバすることを決定するために測定を利用し、ワイヤレス通信ネットワークの改善された機能をもたらし得ることである。
【００６９】
移動局が、不連続送信モード、すなわち、限られた送信／受信能力を有する長い休止状態と、それに続く短いアクティブ時間、で動作する別のネットワークノードを監視することを可能にすることによって、移動局が、他のネットワークノードを迅速および確実に検出することが可能にされることが保証され得、エネルギーが移動局において節約され得る。それによって、移動局が他のネットワークノードを検出し、場合によっては、他のネットワークノードによって送信された信号の信号測定を実行する、短い検出期間が必要とされ得る。
【００７０】
それによって、エネルギーが移動局において節約され、これが、再充電間のバッテリ作業時間を延長させ得る。また、通信システム内の減少された信号は、システム内のより少ないアップリンク干渉を生成する。それによって、ワイヤレス通信ネットワーク内の改善された性能が提供される。
【００７１】
説明する態様の他の目的、利点、および新規な特徴は、以下の詳細な説明から明らかになろう。
【図面の簡単な説明】
【００７２】
さまざまな実施形態が、本発明の実施形態の例を示す添付の図面を参照しながら、より詳細に説明される。
【図１】いくつかの実施形態によるワイヤレス通信ネットワークを示すブロック図である。
【図２】定期的バーストでＤＲＳを送信する、ＤＴＸモードで動作する別のネットワークノードを示すブロック図である。
【図３】本発明のいくつかの実施形態による、第１のネットワークノードから移動局への送信を示すブロック図である。
【図４】ＤＴＸモードで動作する他の３つのネットワークノードを監視するように構成された移動局を示すブロック図である。
【図５】ＤＴＸモードで動作する他の２つのネットワークノードを監視するように構成された移動局を示すブロック図である。
【図６】実施形態による、第１のネットワークノードにおける方法を示す流れ図である。
【図７】実施形態による第１のネットワークノードを示すブロック図である。
【図８】実施形態による、移動局における方法を示す流れ図である。
【図９】実施形態による移動局を示すブロック図である。
【発明を実施するための形態】
【００７３】
本明細書で説明される本発明の実施形態は、以下で説明される実施形態において実施され得る、第１のネットワークノード、移動局、および移動局における方法における第１のネットワークノード、方法として定義される。しかしながら、これらの実施形態は、多数の異なる形態で例示および実現され得、本明細書で記載される例に限定されない。むしろ、実施形態のこれらの例示的な例は、本開示が網羅的で完全であるように提供される。
【００７４】
さらに他の目的および特徴は、添付の図面に関連して考慮される以下の詳細な説明から明らかになろう。しかしながら、図面は単に説明のために設計されており、添付の特許請求の範囲に対して参照がなされる、本明細書で開示される実施形態の限界の定義として設計されていないことが理解されるべきである。さらに、図面は、必ずしも一定の縮尺で描かれておらず、別段に規定されていない限り、本明細書で説明される構造および手順を概念的に示すことが意図されるにすぎない。
【００７５】
図１は、第１のネットワークノード１１０と、ＤＴＸモードで動作する別のネットワークノード１２０と、移動局１３０とを備えるワイヤレス通信ネットワーク１００に関する概略図である。
【００７６】
ワイヤレス通信ネットワーク１００は、たとえば、いくつかの選択肢を挙げるだけでも、３ＧＰＰ  ＬＴＥ、ＬＴＥ  Ａｄｖａｎｃｅｄ、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）、ユニバーサル移動体通信システム（ＵＭＴＳ）、Ｇｌｏｂａｌ  Ｓｙｓｔｅｍ  ｆｏｒ  Ｍｏｂｉｌｅ  Ｃｏｍｍｕｎｉｃａｔｉｏｎｓ（当初は、Ｇｒｏｕｐｅ  Ｓｐｅｃｉａｌ  Ｍｏｂｉｌｅ）（ＧＳＭ）／Ｅｎｈａｎｃｅｄ  Ｄａｔａ  ｒａｔｅ  ｆｏｒ  ＧＳＭ  Ｅｖｏｌｕｔｉｏｎ（ＧＳＭ／ＥＤＧＥ）、広帯域符号分割多元接続（ＷＣＤＭＡ：登録商標）、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）、またはＵｌｔｒａ  Ｍｏｂｉｌｅ  Ｂｒｏａｄｂａｎｄ（ＵＭＢ）、Ｈｉｇｈ  Ｓｐｅｅｄ  Ｐａｃｋｅｔ  Ａｃｃｅｓｓ（ＨＳＰＡ）  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）、Ｕｎｉｖｅｒｓａｌ  Ｔｅｒｒｅｓｔｒｉａｌ  Ｒａｄｉｏ  Ａｃｃｅｓｓ（ＵＴＲＡ）、ＧＳＭ  ＥＤＧＥ  Ｒａｄｉｏ  Ａｃｃｅｓｓ  Ｎｅｔｗｏｒｋ（ＧＥＲＡＮ）、３ＧＰＰ２  ＣＤＭＡ技術、たとえば、ＣＤＭＡ２０００  １ｘ  ＲＴＴおよびＨｉｇｈ  Ｒａｔｅ  Ｐａｃｋｅｔ  Ｄａｔａ（ＨＲＰＤ）などの無線アクセス技術に少なくとも部分的に基づいてよい。「ワイヤレス通信ネットワーク」、「ワイヤレス通信システム」、および／または「セルラー電気通信システム」という表現は、本開示の技術的な文脈では、互換的に利用されることがある。
【００７７】
異なる実施形態によれば、ワイヤレス通信ネットワーク１００は、時分割複信（ＴＤＤ）原則および／または周波数分割複信（ＦＤＤ）原則に従って動作するように構成され得る。
【００７８】
ＴＤＤは、場合によってはアップリンクシグナリングとダウンリンクシグナリングとの間の時間領域内に置かれた保護期間（ＧＰ）を用いて、アップリンク信号とダウンリンク信号とを時間的に分離する、時分割多重化の適用例である。ＦＤＤは、送信機と受信機が異なるキャリア周波数で動作することを意味する。
【００７９】
図１の説明の目的は、ワイヤレス通信ネットワーク１００、ならびに関係する方法、ならびに本明細書で説明される第１のネットワークノード１１０、他のネットワークノード１２０、および移動局１３０などの関係するノード、ならびに関係する機能の簡略化された一般的な概要を提供することである。方法、ネットワークノード１１０、１２０、および移動局１３０はその後、非限定的な例として、３ＧＰＰ  ＬＴＥ／ＬＴＥ  Ａｄｖａｎｃｅｄ環境で説明される。しかしながら、開示される実施形態は、たとえば上記ですでに列挙されたもののいずれかなどの別のアクセス技術に基づくワイヤレス通信ネットワーク１００内で動作し得る。したがって、本発明の実施形態は３ＧＰＰ  ＬＴＥシステムに基づいて、その専門用語を使用して説明されるが、それは、決して３ＧＰＰ  ＬＴＥに限定されない。さらに、無線ネットワークノード、ネットワークノード、基地局、およびセルという用語は、続きでは、互換的に使用される。
【００８０】
ワイヤレス通信ネットワーク１００内に備えられた図示の第１のネットワークノード１１０は、移動局１３０とワイヤレスで通信するために、無線信号を送り、受信し得る。他のネットワークノード１２０は不連続送信モードで動作しており、したがって、発見基準信号（ＤＲＳ）を散発的におよび／または定期的に送信し得る。
【００８１】
移動局１３０が他のネットワークノード１２０を監視する助けとなるために、他のネットワークノード１２０は不連続送信モードを用いて使用可能にされるとき、第１のネットワークノード１１０は、たとえば、他のネットワークノード１２０の再アクティブ化時間の指示を送り得る。
【００８２】
いくつかの実施形態によれば、信号は、第１のネットワークノード１１０から移動局１３０に送信され、不連続送信モードで動作する少なくとも他のネットワークノード１２０の休止状態の残り時間の指示ならびに／または不連続送信モードで動作する少なくとも他のネットワークノード１２０ＲＲＭ／ＲＬＭ測定を監視する、すなわち、検出および／もしくは実行するための開始時間の指示を備える。情報を備える信号は、移動局１３０によって受信される。次いで、受信された情報に基づいて、移動局１３０は、受信された信号に従って不連続送信モードで動作する他のネットワークノード１２０の監視を開始し得る。
【００８３】
図１における第１のネットワークノード１１０の１つのインスタンス、他のネットワークノード１２０の１つのインスタンス、および１つの移動局１３０の図示のネットワーク設定は、実施形態の非限定的な例にすぎないとみなされるべきであることが留意されるべきである。ワイヤレス通信ネットワーク１００は、他の任意の数および／または組み合わせの、説明されたネットワークノード１１０、１２０および／または移動局１３０を備えてよい。したがって、複数の移動局１３０およびネットワークノード１１０、１２０の別の構成は、開示の発明のいくつかの実施形態に関係され得る。本明細書において「他のネットワークノード１２０」への参照がなされるとき、いくつかの実施形態によれば、少なくとも１つの他のネットワークノード１２０は複数の他のネットワークノードを備えてよい。
【００８４】
したがって、いくつかの実施形態によれば、本文脈において「１つ（one）」または「１つの（a／an）」第１のネットワークノード１１０、他のネットワークノード１２０、および／または移動局１３０が参照されるときは常に、複数の第１のネットワークノード１１０、および／または他のネットワークノード１２０、および／または移動局１３０が関係し得る。
【００８５】
さらに、第１のネットワークノード１１０および他のネットワークノード１２０は、いくつかの実施形態によれば、ダウンリンク送信およびアップリンク受信のために構成されてよく、たとえば、使用される無線アクセス技術および／または用語に応じて、それぞれ、たとえば、基地局、ＮｏｄｅＢ、発展型ノードＢ（ｅＮＢ、またはｅＮｏｄｅ  Ｂ）、基地送受信局、アクセスポイント基地局、基地局ルータ、無線基地局（ＲＢＳ）、マイクロ基地局、ピコ基地局、フェムト基地局、ホームｅＮｏｄｅＢ、センサ、ビーコンデバイス、リレーノード、リピータ、またはワイヤレスインタフェースを通じて移動局１３０と通信するように構成された他の任意のネットワークノードと参照されてよい。
【００８６】
移動局１３０は、異なる実施形態および異なる語彙により、それに対応して、たとえば、ワイヤレス通信端末、モバイルセルラー電話、携帯情報端末（ＰＤＡ）、ワイヤレスプラットフォーム、ユーザ機器、タブレットコンピュータ、ポータブル通信デバイス、ラップトップ、コンピュータ、リレーとして機能するワイヤレス端末、リレーノード、モバイルリレー、顧客構内設備（ＣＰＥ）、固定ワイヤレスアクセス（ＦＷＡ）ノード、または第１のネットワークノード１１０および／もしくは他のネットワークノード１２０とワイヤレスで通信するように構成された他の任意の種類のデバイスによって表されてよい。
【００８７】
本発明のいくつかの実施形態は、モジュール式実装手法を定義し、たとえば規格、アルゴリズム、実装形態、構成要素、および製品などの旧来のシステムを再使用することを可能にし得る。
【００８８】
他のネットワークノード１２０は、図２に示されるように、制限された送信／受信能力を有する休止期間（別名「オフ状態」）とそれに続くアクティブ期間とを備える不連続送信モード（ＤＴＸ）で動作することが可能にされる。休止期間の間、他のネットワークノード１２０は、移動局１３０が休止ノード１２０の存在を検出しＲＲＭ測定を実行する助けとなることが意図されたダウンリンク基準信号、別名、発見基準信号（ＤＲＳ）を送信することが可能にされる。汎用性を失うことなく、本明細書では、ＤＲＳはＮｍｓという短時間のバーストで、Ｍｍｓという期間で送信され、ここで、ＮおよびＭは任意の数であり、Ｎ≦Ｍであることが仮定される。異なるネットワークノード１２０によって送信されるＤＲＳ信号は、Ｑｍｓのオフセットによってさらに時間多重化をすることができる。関連技術ＬＴＥシステムで使用される用語を参照すると、Ｎ、Ｍ、およびＱという量は、（たとえば、持続時間０．５ｍｓの）タイムスロット、（たとえば、持続時間１ｍｓの）サブフレーム、（たとえば、持続時間１０ｍｓの）無線フレーム、またはこれらのいずれか任意の組み合わせに関して同等に表現可能である。
【００８９】
いくつかの実施形態では、第１のネットワークノード１１０は、移動局１３０のためのサービングネットワークノードであってよく、他のネットワークノード１２０は、移動局１３０がオフロードまたはハンドオーバされ得る隣接ノードであってよい。関連技術ＬＴＥシステムを参照すると、第１のネットワークノード１１０は、移動局１３０にネットワーク支援を提供するプライマリセル（ＰＣｅｌｌ）（たとえば、マクロｅＮｏｄｅＢ）であってよく、他のネットワークノード１２０は、ピコｅＮｏｄｅＢまたはスモールセルノードなどのセカンダリセル（ＳＣｅｌｌ）であってよい。いくつかの実施形態では、第１のネットワークノード１１０はさらに、スモールセルノードのクラスタの動作を協調させるスモールセルノードであってよい。
【００９０】
したがって、開示の方法の１つの目的は、移動局１３０が、自律的に（すなわち、他のネットワークノード１２０の休止状態の残り時間の指示を提供し、移動局１３０が、いつ監視するべきかを単独で決めることを可能にする）、または制御された方法（すなわち、ＤＴＸモードで動作する他のネットワークノード１２０の監視をいつ開始するべきかの指示を提供することによって）で、のどちらかで、不連続送信モードで動作する他のネットワークノード１２０を効率的に監視することを可能にすることである。本明細書では、ＤＴＸモードで動作するネットワークノード１２０を監視することは、１つの他のネットワークノードの存在を検出すること、ＤＴＸモードの他のネットワークノード１２０によって送信されたダウンリンク信号に基づいて測定（たとえば、ＲＲＭ／ＲＬＭ測定）を実行すること、および発見信号の測定を移動局１３０から第１のネットワークノード１１０に報告すること、からなるグループ内の１または複数の行為として意図される。ＤＴＸモードの他のネットワークノード１２０によって送信された信号の測定は、基準信号受信電力（ＲＳＲＰ）、基準信号受信品質（ＲＳＲＱ）、チャネル状態情報（ＣＳＩ）、チャネル品質インジケータ（ＣＱＩ）、信号対雑音および干渉比（ＳＩＮＲ）、信号対雑音比（ＳＮＲ）、信号対干渉比（ＳＩＲ）、信号対雑音＋干渉比（ＳＮＩＲ）、または信号の強度および／もしくは品質を反映する他の任意の適切な測定、および／またはある所望の信号と望ましくない干渉もしくは雑音との比からなるグループ内の１または複数を含んでよい。それによって、第１のネットワークノード１１０は、不連続送信モードで動作する少なくとも他のネットワークノード１２０に関連付けられた移動局１３０の監視動作をトリガし得る。
【００９１】
方法の利点は、ＤＴＸモードで動作する他の任意のネットワークノード１２０の存在を検出するおよび／またはＤＴＸモードで動作する他の任意のネットワークノード１２０からＲＲＭ／ＲＬＭ測定を実行するための移動局１３０の処理労力を減少させることである。それによって、移動局１３０のより多くの処理容量が、他のタスクに自由に利用され得る。さらなる利点は、休止ネットワークノード１２０のセル検出を短縮することを可能にすることによって、および不必要なＲＲＭ／ＲＬＭ測定を回避することによって、移動局１３０におけるエネルギー節約を可能にすることである。これは、バッテリサイズに、およびそれにより移動局１３０のバッテリ容量にも制限を加える、高い携帯性／薄型設計のユーザ需要により、ほとんどのポータブル電子機器に関して、バッテリ動作時間は移動局１３０にとって重要であるので、重要である。したがって、開示の方法により移動局側においてエネルギー消費を減少させることは、いかなる機能も失うことなく、移動局１３０の動作時間を延長させる。
【００９２】
追加の利点は、たとえばＤＴＸモードで動作する他の任意のネットワークノード１２０がアクティブ状態に移行する少し前にＤＴＸモードで動作する少なくとも他のネットワークノード１２０によって送信された発見信号のＲＲＭ／ＲＬＭ測定を移動局１３０が実行および／もしくは報告する、または報告された信号測定に基づいて他のネットワークノード１２０の再アクティブ化をトリガするようにＲＲＭ／ＲＬＭ測定を移動局１３０が予期するのに適切なタイミングを構成することである。
【００９３】
移動局１３０は、不連続送信モードで動作するネットワークノード１２０候補のセットを監視するように、第１のネットワークノード１１０によって構成可能である。構成は、たとえば、Ｋ個の他のネットワークノード１２０と、使用される時間周波数リソース、バースト長（Ｎ）、定期性（Ｍ）、時間オフセット（Ｑ）、発見に使用される信号のタイプなどの発見信号のそれぞれのパラメータ構成のリストを備えてよく、ここで、Ｋは任意の整数である。
【００９４】
一実施形態では、不連続送信モードで動作する少なくとも１つの他のネットワークノード１２０の休止状態の残り時間の指示は、他のネットワークノード１２０のアクティブ化の前に残された発見信号バーストの数を含んでよい。異なる実施形態では、発見信号の定期性は、移動局１３０によって（たとえば、複数のＤＲＳを検出することによって）推定可能であり、または、残された発見信号バーストの数に加えてシグナリングされ得る。この追加情報は、ＤＴＸモードで動作する他のネットワークノード１２０に関連付けられた発見信号の定期性Ｍと組み合わせると、移動局１３０が、他のネットワークノード１２０がアクティブになる前に残された時間のおおよその推定値を決定することを可能にし得る。ＤＴＸモードで動作する少なくとも１つの他のネットワークノード１２０の休止状態の残り時間の指示は、時間（たとえば、ミリ秒で）、タイムスロット、サブフレームの数、無線フレームの数、またはこれらの任意の組み合わせに関して表現されてよい。
【００９５】
一実施形態では、第１のネットワークノード１１０は、移動局１３０によって受信されることになる、ＤＴＸモードで動作する少なくとも別のネットワークノード１２０に関連付けられた休止状態の残り時間の推定値Ｄを送信し得る。代替形態では、第１のネットワークノード１１０は、移動局１３０によって受信されることになる、ＤＴＸモードで動作する他のネットワークノード１２０のための休止状態の潜在的残り時間のＬ個の推定値の集合｛Ｄ1、…、ＤL｝をさらに送信し得る。
【００９６】
いくつかの実施形態では、たとえば、第１のネットワークノード１１０がＬ個の推定値を送信するケースでは、第１のネットワークノード１１０によって送信される、ＤＴＸモードで動作する少なくとも１つの他のネットワークノード１２０の休止状態の残り時間の指示は、Ｌ個の可能な値のうちの少なくとも１つを含む。言い換えれば、移動局１３０は、最初に、シグナリングされ得る休止状態の潜在的な残り時間を示す値の集合｛Ｄ1,…，ＤL｝を用いて構成されてよく、したがって、第１のネットワークノード１１０によって送信される信号は、集合｛Ｄ1,…，ＤL｝の中の値のうちの１つを示し得る。値の集合｛Ｄ1，…，ＤL｝は、第１のネットワークノード１１０によって、たとえば、上位層無線リソース制御（ＲＲＣ）シグナリングによって半静的に構成されてよいが、集合｛Ｄ1，…，ＤL｝の中の値のうちの１つを示す、第１のネットワークノード１１０によって送信される信号は、図３に示されるように、たとえば、ＬＴＥ文脈におけるＰＤＣＣＨ／ｅＰＤＣＣＨなどの物理ダウンリンク制御チャネルによって、動的とすることができる。
【００９７】
図３は、第１のネットワークノード１１０から移動局１３０への、ＤＴＸモードで動作する他のネットワークノード１２０の休止状態の残り時間の指示の送信を示す。
【００９８】
したがって、
【００９９】
【数１】
0006323964.tif 000003
【０１００】
ビットまたはＬビットビットマップは、ＤＴＸモードで動作する少なくとも１つの他のネットワークノード１２０に関連付けられた休止状態の残り時間を示すために使用され得る。あるいは、この値は、任意の特定の他のネットワークノード１２０に明示的に関連付けられないことがある。他の利益に加えて、この方法は、移動局１３０が、ＤＴＸモードで動作する他の任意のネットワークノード１２０の監視を開始する（すなわち、ＲＲＭ測定を検出および／または実行する）べきかどうか、ならびにいつ監視を開始する（すなわち、ＲＲＭ測定を検出および／または実行する）べきかを自律的に決定することを可能にする。
【０１０１】
本発明の一実施形態では、第１のネットワークノード１１０によって送信される信号は、移動局１３０の監視を開始し得る、ＤＴＸモードで動作する少なくとも１つの他のネットワークノード１２０を示し得る。移動局１３０が、ＤＴＸモードで動作することが可能にされたＫ個のネットワークノード１２０候補のセットを用いて第１のネットワークノード１１０によってあらかじめ構成されている場合、第１のネットワークノード１１０によって移動局１３０に送信される信号は、１または複数のＫ個のネットワークノード１２０候補に関連付けられ得る。一例では、第１のネットワークノード１１０によって移動局１３０に送信される信号は、たとえば、移動局１３０がリスト内の第ｋの他のネットワークノード１２０の監視を開始し得るとき汎用的な第ｋのビットが１に等しいＫビットビットマップを含み得る。さらなる実施形態では、リスト内の１つの他のネットワークノード１２０は、
【０１０２】
【数２】
0006323964.tif 000004
【０１０３】
ビットによって、またはネットワークノード識別情報によって、移動局１３０に個別に示され得る。信号を受信すると、移動局１３０は、信号内に含まれる情報によって示されるネットワークノード１２０の監視を開始してよく、したがって、図４に示されるように、開始時間は信号の受信と暗黙的に一致する。
【０１０４】
図４は、移動局１３０が、不連続送信モードで動作する３つの他のネットワークノード１２０を監視する（たとえば、ＲＲＭ測定を検出し、行う）ように構成される実施形態を示す。信号は、第１のネットワークノード１１０から移動局１３０に送信され、どの他のネットワークノード１２０が発見信号を検出し始め、ならびに／または発見信号の測定を実行および報告するかを示す。
【０１０５】
他の利益に加えて、この方法の利点は、それがいつどの他のネットワークノード１２０の存在の検出を開始し、および／またはＲＲＭ／ＲＬＭ測定を実行するかを移動局１３０に示すために必要な、減少されたシグナリングオーバーヘッドである。
【０１０６】
本発明の一実施形態では、不連続送信モードで動作する少なくとも１つの他のネットワークノード１２０の監視をいつ開始する（たとえば、ＲＲＭ／ＲＬＭ測定の存在を検出する、および／または不連続送信モードで動作する少なくとも１つの他のネットワークノード１２０からＲＲＭ／ＲＬＭ測定を実行する）べきかを示す、第１のネットワークノード１１０によって移動局１３０に送信される信号は、単一ビットを含み得る。このケースでは、ビットの１つの値（たとえば、ビット＝１、あるいはビット＝０）は、移動局１３０が、ＤＴＸモードで動作する他のネットワークノード１２０の監視を開始するものとすることを示すために使用され得るが、残りの値（たとえば、ビット＝０、あるいはビット＝１）は、ＤＴＸモードで動作する他のネットワークノード１２０の監視を停止する指示として使用され得る。このケースでは、指示は、ＤＴＸモードで動作する特定の他のネットワークノード１２０に関連付けられてもよいし、関連付けられなくてもよい。信号自体が、監視動作を開始するトリガである。この方法の利点は、シグナリングオーバーヘッドがさらに減少され、これが、帯域幅および送信エネルギーを節約し、システム１００内の信号干渉を減少させ、移動局１３０における処理電力の要件もさらに減少させることである。
【０１０７】
一実施形態では、第１のネットワークノード１１０は、ＤＴＸモードで動作する少なくとも１つの他のネットワークノード１２０の存在を移動局１３０が検出し始め得るおよび／またはＤＴＸモードで動作する少なくとも１つの他のネットワークノード１２０のためのＲＲＭ／ＲＬＭ測定を実行し得る遅延を示すタイムラグＴを送信し得る。代替形態では、第１のネットワークノード１１０は、Ｈ個のタイムラグ｛Ｔ1，…，ＴH｝の集合を移動局１３０にさらに送信し、各タイムラグは、休止状態で動作する少なくとも１つの他のネットワークノード１２０の存在を移動局１３０が検出し始め得るおよび／または休止状態で動作する少なくとも１つの他のネットワークノード１２０のためのＲＲＭ／ＲＬＭ測定を実行し得る遅延を示す。このケースでは、ＤＴＸモードで動作する他のネットワークノード１２０を移動局１３０の監視を開始し得る時間の指示は、Ｈ個の可能な値｛Ｔ1，…，ＴH｝のうちの少なくとも１つを含み得る。言い換えれば、移動局１３０は、最初に、ＤＴＸモードで動作するネットワークノード１２０の監視を移動局１３０が開始し得る遅延を示す可能な値の集合｛Ｔ1，…，ＴH｝を用いて構成され得、したがって、第１のネットワークノード１１０によって送信される信号は、少なくとも１つの他の第２のネットワークノード１２０に対して、集合｛Ｔ1，…，ＴH｝内の値のうちの１つを示す。値の集合｛Ｔ1，…，ＴH｝は、第１のネットワークノード１１０によって、たとえば、上位層無線リソース制御（ＲＲＣ）シグナリングによって半静的に構成されてよいが、集合｛Ｔ1，…，ＴH｝の中の値のうちの１つを示す、第１のネットワークノード１１０によって送信される信号は、図５に示されるように、たとえば、ＬＴＥ文脈におけるＰＤＣＣＨ／ｅＰＤＣＣＨなどの物理ダウンリンク制御チャネルによって、動的とすることができる。
【０１０８】
図５は、不連続送信モードで動作する２つの他のネットワークノード１２０−０、１２０−１を移動局１３０が監視するように構成される実施形態を示す。信号は、第１のネットワークノード１１０から移動局１３０に送信され、いつどの他のネットワークノード１２０−０、１２０−１が測定を検出し始め、測定を実行するべきかを示す。
【０１０９】
異なる実施形態では、示される時間は、ＤＴＸモードで動作する少なくとも１つの他のネットワークノード１２０に関連付けられてもよいし、ＤＴＸモードで動作する他の任意のネットワークノード１２０に関連付けられなくてもよい。したがって、
【０１１０】
【数３】
0006323964.tif 000005
【０１１１】
ビットまたはＨビットビットマップは、ＤＴＸモードで動作する他のネットワークノード１２０の監視を移動局１３０が開始し得るＨ個の時間遅延のうちの１つを示すために使用され得る。一例では、複数のタイムラグまたは遅延は同時に送信されてよく、各々は、図５に示されるように、ＤＴＸモードで動作する少なくとも１つの他のネットワークノード１２０と関連付けられる。
【０１１２】
一実施形態では、第１のネットワークノード１１０から移動局１３０にシグナリングされる情報は、不連続送信モードを用いて動作する少なくとも１つの他のネットワークノード１２０を移動局１３０がどれくらい長い間監視し得るかという持続時間を示す少なくとも１つの時間ウィンドウＷをさらに含み得る。時間ウィンドウは、いくつかの実施形態では、監視されることになる、ＤＴＸモードを用いて動作する１または複数の他のネットワークノード１２０と関連付けられてもよいし、監視されることになる任意の特定の他のネットワークノード１２０と関連付けられなくてもよい。時間ウィンドウは、たとえば、時間単位で（たとえば、ミリ秒単位で）、タイムスロット単位で、サブフレームの数単位で、無線フレームの数単位で、またはこれらの組み合わせで、表現されてよい。時間ウィンドウは、不連続送信モードを用いて動作する少なくとも１つの他のネットワークノード１２０の存在を移動局１３０がどれくらい長い間検出し得るか（すなわち、検出ウィンドウ）、不連続送信モードを用いて動作する少なくとも１つの他のネットワークノード１２０によって送信されたダウンリンク信号を移動局１３０がどれくらい長い間測定し得るか（すなわち、測定ウィンドウ）、不連続送信モードを用いて動作する少なくとも１つの他のネットワークノード１２０によって送信されたダウンリンク信号の測定を移動局１３０がどれくらい長い間報告し得るか（すなわち、報告ウィンドウ）、またはそれらの組み合わせからなるグループ内の１または複数に関連付けられてよい。
【０１１３】
一実施形態では、第１のネットワークノード１１０は、時間ウィンドウの集合｛Ｗ1，…，ＷS｝を移動局１３０に送信し得る。したがって、集合｛Ｗ1，…，ＷS｝内の特定の時間ウィンドウＷは、少なくとも
【０１１４】
【数４】
0006323964.tif 000006
【０１１５】
ビットを用いて、第１のネットワークノード１１０によって移動局１３０に示され得る。値の集合｛Ｗ1，…，ＷS｝は、第１のネットワークノード１１０によって、たとえば、上位層無線リソース制御（ＲＲＣ）シグナリングによって半静的に構成されてよいが、集合｛Ｗ1，…，ＷS｝の中の値のうちの１つを示す、第１のネットワークノード１１０によって送信される信号は、たとえば、ＬＴＥ文脈におけるＰＤＣＣＨ／ｅＰＤＣＣＨなどの物理ダウンリンク制御チャネルによって、動的とすることができる。この方法実施形態は、他の実施形態と組み合わせると、ＤＴＸモードで動作する他のネットワークノード１２０を移動局１３０がどれくらい長い間監視し得るかを示し、したがって、移動局１３０にエネルギー節約をもたらすという利点を有する。
【０１１６】
方法の実施形態では、第１のネットワークノード１１０から移動局１３０に送信される信号は、ＤＴＸモードで動作する少なくとも１つの他のネットワークノード１２０を移動局１３０が監視するものとする時間周波数リソースをさらに示し得る。信号は、たとえば、どのサブフレームおよび／または無線フレームおよび／またはリソースブロック内で、ＤＴＸモードで動作する他のネットワークノード１２０によって送信されたＤＲＳ信号を移動局１３０が測定するおよび／またはＤＴＸモードで動作する他のネットワークノード１２０によって送信されたＤＲＳ信号の測定を報告し得るかを示し得る。この実施形態の利益は、ＤＴＸモードで動作する少なくとも１つの他のネットワークノード１２０をいつ監視するべきかだけでなく、どのリソース内で監視するべきかも、移動局１３０に示すことである。それによって、移動局１３０において処理労力が節約され、延長されたバッテリアクティブ化時間をもたらす。
【０１１７】
本発明の実施形態では、第１のネットワークノード１１０から移動局１３０に送信される信号は、ＤＴＸモードで動作する他のネットワークノード１２０によって送信されるＤＲＳ信号のどのタイプの測定をさらに示してよく、移動局１３０は、第１のネットワークノード１１０を取得し得るおよび／または第１のネットワークノード１１０に報告し得る。信号測定のタイプの例は、たとえば、基準信号受信電力（ＲＳＲＰ）、基準信号受信品質（ＲＳＲＱ）、チャネル状態情報（ＣＳＩ）、チャネル品質インジケータ（ＣＱＩ）、信号対雑音および干渉比（ＳＩＮＲ）、信号対雑音比（ＳＮＲ）、信号対干渉比（ＳＩＲ）、信号対雑音＋干渉比（ＳＮＩＲ）、または信号の強度および／もしくは品質を反映する他の任意の適切な測定、および／またはある所望の信号と望ましくない干渉もしくは雑音との比を含み得る。この実施形態の利益は、移動局１３０に対して、ＤＴＸモードで動作する少なくとも１つの他のネットワークノード１２０をいつ監視するべきかだけでなく、どのタイプの測定が第１のネットワークノード１１０に報告されるべきかという指示が使用可能にされ、それによって、移動局１３０の効率を改善することを含む。
【０１１８】
本発明の一実施形態では、信号は、たとえば、移動局固有または移動局グループ固有の様式で、ＰＤＣＣＨまたはｅＰＤＣＣＨなどの物理ダウンリンク制御チャネルの一部として、第１のネットワークノード１１０から送信され得る。この方法実施形態の１つの利点は、信号自体が、不連続送信で動作する１または複数の他のネットワークノード１２０を監視するための開始時間の暗黙的指示として使用されることを可能にすることである。他の実施形態と組み合わせると、（ＬＴＥ文脈におけるＤＣＩなどの）送信される制御情報の複数のフィールドは、移動局１３０によって監視されることになる、ＤＴＸモードで動作する１または複数の他のネットワークノード１２０に固有の情報をシグナリングするために使用され得る。第１のネットワークノード１１０から新しい指示を受信すると、移動局１３０は、受信された信号内で示された他のネットワークノード１２０の監視を開始し得る。ＬＴＥにおける物理ダウンリンク制御チャネルは、各サブフレーム（１ｍｓ時間）内で動的に送信されるので、この方法実施形態は、図３〜図５に示されるように、異なる時間に異なる信号を送信することによって異なる時間にＤＴＸモードの異なる他のネットワークノード１２０を監視するように移動局１３０を動的に構成することを可能にする。図４に示される実施形態では、３ビットフィールドが第１のネットワークノード１１０から移動局１３０にシグナリングされ、どの他のネットワークノード１２０の監視をそれが開始すべきかを示す。
【０１１９】
本発明の一実施形態では、情報の少なくとも一部は、たとえばＬＴＥにおけるＰＤＳＣＨなどの物理ダウンリンク共有チャネル、または上位層無線リソース制御（ＲＲＣ）シグナリングを使用して送信される。そのような方法実施形態の利点は、シグナリングオーバーヘッドの減少を含む。したがって、この情報は、監視されると想定される他のネットワークノード１２０に関連付けられた発見信号構成パラメータとともに、第１のネットワークノード１１０から移動局１３０にシグナリングされ得る。
【０１２０】
図６は、ワイヤレス通信ネットワーク１００内の少なくとも１つの他のネットワークノード１２０を移動局１３０が監視することを可能にする目的で、不連続送信モードで動作する少なくとも１つの他のネットワークノード１２０のタイミング情報を提供するために、第１のネットワークノード１１０において使用するための方法６００の実施形態を示す流れ図である。いくつかの実施形態では、少なくとも１つの他のネットワークノード１２０は、複数の他のネットワークノード１２０−０、１２０−１、１２０−２を含み得る。
【０１２１】
移動局１３０は、第１のネットワークノード１１０と少なくとも１つの他のネットワークノード１２０とを備える異種ワイヤレス通信システム１００内の第１のネットワークノード１１０によってサービスされ得る。
【０１２２】
ワイヤレス通信ネットワーク１００は、３ＧＰＰ  ＬＴＥに基づいてよい。さらに、ワイヤレス通信システム１００は、異なる実施形態では、ＦＤＤまたはＴＤＤに基づくことがある。第１のネットワークノード１１０および／または他のネットワークノード１２０は、いくつかの実施形態によれば、発展型ノードＢ（ｅＮｏｄｅＢ）を含んでよい。
【０１２３】
不連続送信モードで動作する少なくとも１つの他のネットワークノード１２０のタイミング情報を移動局１３０に適切に提供するために、方法６００は、いくつかの行為６０１〜６０２を含み得る。しかしながら、異なる実施形態によれば、説明される行為６０１〜６０２のいずれか、いくつか、またはすべては、列挙が示すのとやや異なる時系列で実行されてもよいし、同時に実行されてもよいし、完全に逆の順序ですら実行されてもよいことが留意されるべきである。また、たとえば行為６０１などのいくつかの行為は、いくつかの代替的実施形態においてのみ実行されてよい。さらに、いくつかの行為は、異なる実施形態により複数の代替様式で実行されてよいこと、およびいくつかのそのような代替様式は、いくつかの実施形態において実行されてよいが、必ずしもすべての実施形態で実施されなくてよいことが留意されるべきである。方法６００は、以下の行為を含み得る。
行為６０１
この行為は、方法６００のいくつかの実施形態において実行されてよいが、必ずしも方法６００のすべての実施形態で実行されなくてよい。
【０１２４】
少なくとも１つの他のネットワークノード１２０の休止状態とアクティブ状態との状態切り換えと関連付けられたタイミング情報が取得され得る。いくつかの実施形態では、そのような情報は、たとえば、Ｓ１および／またはＸ２などの、他のネットワークノード１２０からの無線ネットワーク内ノード接続を通じて取得され得る。
【０１２５】
タイミング情報は、いくつかの実施形態では、少なくとも１つの他のネットワークノード１２０の休止状態の残り時間の指示を含み得る。さらに、いくつかの実施形態では、タイミング情報は、少なくとも１つの他のネットワークノード１２０のアクティブ化の前に残された発見信号バーストの数を含み得る。いくつかの実施形態によれば、タイミング情報は、少なくとも１つの他のネットワークノード１２０の発見信号バーストの定期性の指示をさらに含み得る。
【０１２６】
さらに、いくつかの実施形態では、タイミング情報は、少なくとも１つの他のネットワークノード１２０の休止状態の潜在的な残り時間の推定値の集合を含み得る。
行為６０２
少なくとも１つの他のネットワークノード１２０の休止状態とアクティブ状態との状態切り換えと関連付けられた、および／または移動局１３０によって受信されることになる、少なくとも１つの他のネットワークノード１２０の監視動作と関連付けられたタイミング情報を含む信号が送信される。
【０１２７】
いくつかの実施形態では、タイミング情報は、少なくとも１つの他のネットワークノード１２０の休止状態の残り時間の指示、少なくとも１つの他のネットワークノード１２０のアクティブ化の前に残された発見信号バーストの数、少なくとも１つの他のネットワークノード１２０の発見信号バーストの定期性の指示、および／または少なくとも１つの他のネットワークノード１２０の休止状態の潜在的残り時間の１つの推定値もしくは推定値の集合を含み得る。
【０１２８】
したがって、いくつかの実施形態では、移動局１３０は、少なくとも１つの他のネットワークノード１２０のアクティブ化の前に残された発見信号バーストの数および／または少なくとも１つの他のネットワークノード１２０の発見信号バーストの定期性を知ることによって、受信された情報に基づいて、他のネットワークノード１２０がいつアクティブモードに切り換わることになっているかを算出し得る。しかしながら、他の実施形態では、移動局１３０は、自身の計算によって、少なくとも１つの他のネットワークノード１２０の発見信号バーストの定期性を算出し得る。
【０１２９】
しかしながら、いくつかの実施形態では、タイミング情報は、不連続送信モードで動作する少なくとも１つの他のネットワークノード１２０の監視を移動局１３０が開始／停止する開示時間および／または停止時間を含み得る。したがって、いくつかのそのような実施形態によれば、タイミング情報を含む信号は、移動局１３０が監視を開始／停止するトリガとして機能し得る。そのような実施形態による利点は、より少ない算出が移動局１３０によってなされなければならず、それによって、移動局１３０の処理リソースおよびバッテリ容量を節約することである。タイミング情報は、移動局１３０をトリガして少なくとも１つの他のネットワークノード１２０の監視を開始および／または停止する単一ビットを含み得る。したがって、移動局１３０は、１に設定されたビットを受信したとき、あるいは受信されたビットが０に設定されているとき、少なくとも１つの他のネットワークノード１２０の監視を開始し得る。さらに、いくつかの実施形態では、移動局１３０は、０に設定されたビットを受信したとき、あるいは受信されたビットが１に設定されているとき、少なくとも１つの他のネットワークノード１２０の監視を停止し得る。これらの実施形態による利点、すなわち、１つの単一ビットを送信することによって移動局１３０をトリガして監視を開始／停止することは、小さな追加無線トラフィックが必要とされることである。したがって、シグナリングオーバーヘッドが必要とされ得る。
【０１３０】
そのうえ、タイミング情報は、１つのタイムラグまたはタイムラグの集合をさらに含み得、各タイムラグは、少なくとも１つの他のネットワークノード１２０の監視を移動局１３０が開始し得る遅延を示す。いくつかのそのような実施形態による利点は、第１のネットワークノード１１０が、まさに少なくとも１つの他のネットワークノード１２０の監視を移動局１３０が開始する瞬間ではなく、他の任意の前の好都合な瞬間に、タイミング情報を含む信号を送信し得ることである。また、第１のネットワークノード１１０は、場合によっては異なる瞬間に、異なる他のネットワークノード１２０の監視を移動局１３０が開始することを可能にする複数のトリガリング信号を送信し得る。
【０１３１】
そのうえ、タイミング情報は、少なくとも１つの他のネットワークノード１２０を監視するための少なくとも１つの時間ウィンドウを含み得る。
【０１３２】
送信された信号は、移動局固有であってもよいし、いくつかの実施形態では、移動局グループ固有であってもよい。
【０１３３】
そのうえ、信号は、いくつかの実施形態では、ＰＤＣＣＨおよび／またはＥＰＤＣＣＨなどの物理ダウンリンク制御チャネルの一部として送信され得る。また、いくつかの実施形態では、信号は、ＰＤＳＣＨなどの物理ダウンリンク共有チャネルまたは上位層ＲＲＣシグナリングを使用することによって送信され得る。
【０１３４】
いくつかの実施形態では、第１のネットワークノード１１０は、移動局１３０から信号測定をさらに受信し得、その測定は、他のネットワークノード１２０から移動局１３０によって受信された信号の移動局１３０によってなされる。その受信された信号測定に基づいて、第１のネットワークノード１１０は、たとえば、ハンドオーバアルゴリズムにより、移動局１３０を他のネットワークノード１２０にハンドオーバすると決定し得る。
【０１３５】
図７は、ワイヤレス通信システム１００内でのワイヤレス通信のために構成された第１のネットワークノード１１０の実施形態を示す。第１のネットワークノード１１０は、説明された方法行為６０１〜６０２のいずれかにより少なくとも１つの他のネットワークノード１２０を移動局１３０が監視することを可能にする目的で、不連続送信モードで動作する少なくとも１つの他のネットワークノード１２０に関するタイミング情報を提供するための先に説明された行為６０１〜６０２のうちの少なくともいくつかにより方法６００を実行するためにさらに構成される。いくつかの実施形態では、少なくとも１つの他のネットワークノード１２０は、複数の他のネットワークノード１２０−０、１２０−１、１２０−２を含み得る。さらに、送信された信号は、移動局固有であってもよいし、異なる実施形態では、移動局グループ固有であってもよい。
【０１３６】
タイミング情報は、いくつかの実施形態では、少なくとも１つの他のネットワークノード１２０の休止状態の残り時間の指示を含み得る。さらに、いくつかの実施形態では、タイミング情報は、少なくとも１つの他のネットワークノード１２０のアクティブ化の前に残された発見信号バーストの数を含み得る。そのうえ、タイミング情報は、少なくとも１つの他のネットワークノード１２０の発見信号バーストの定期性の指示をさらに含み得る。また、タイミング情報は、少なくとも１つの他のネットワークノード１２０の休止状態の潜在的な残り時間の１つの推定値または推定値の集合を含み得る。さらに、タイミング情報は、不連続送信モードで動作する少なくとも１つの他のネットワークノード１２０の監視を移動局１３０が開始／停止する開示時間および／または提示時間を含み得る。さらに、いくつかの実施形態では、タイミング情報は、移動局１３０をトリガして少なくとも１つの他のネットワークノード１２０の監視を開始および／または停止する単一ビットを含み得る。また、タイミング情報は、１つのタイムラグまたはタイムラグの集合をさらに含み得、各タイムラグは、少なくとも１つの他のネットワークノード１２０の監視を移動局１３０が開始し得る遅延を示す。いくつかの実施形態では、タイミング情報は、少なくとも１つの他のネットワークノード１２０を監視するための少なくとも１つの時間ウィンドウをさらに含み得る。
【０１３７】
強化されたわかりやすさのために、本明細書で説明される実施形態を理解するために完全に不可欠であるとは限らない、第１のネットワークノード１１０の任意の内部電子機器または他の構成要素は図７から省略されている。
【０１３８】
第１のネットワークノード１１０は、少なくとも１つの他のネットワークノード１２０の休止状態とアクティブ状態との状態切り換えと関連付けられた、および／または移動局１３０によって受信されることになる、少なくとも１つの他のネットワークノード１２０の動作の監視と関連付けられたタイミング情報を含む信号を送信するために構成された送信機７３０を備える。
【０１３９】
さらに、第１のネットワークノード１１０は、いくつかの実施形態によれば、少なくとも１つの他のネットワークノード１２０の休止状態とアクティブ状態との状態切り換えと関連付けられたタイミング情報を取得するために構成されたプロセッサ７２０を備え得る。
【０１４０】
そのようなプロセッサ７２０は、処理回路、すなわち、中央処理装置（ＣＰＵ）、処理ユニット、処理回路、プロセッサ、特定用途向け集積回路（ＡＳＩＣ）、マイクロプロセッサ、または命令を解釈および実行し得る他の処理ロジックの１または複数のインスタンスを含み得る。したがって、本明細書で利用される「プロセッサ」という表現は、たとえば、上記で列挙されたもののうちのいずれか、いくつか、またはすべてなどの、複数の処理回路を備える処理回路を表し得る。
【０１４１】
さらに、第１のネットワークノード１１０は、いくつかの実施形態によれば、ワイヤードインタフェースまたはワイヤレスインタフェースを通じて他のネットワークノード１２０および／または移動局１３０から信号を受信するために構成された受信機７１０を備え得る。
【０１４２】
そのうえ、第１のネットワークノード１１０は、いくつかの実施形態によれば、少なくとも１つのメモリ７２５をさらに備え得る。任意選択のメモリ７２５は、データまたはプログラムすなわち命令のシーケンスを一時的または永続的に記憶するために利用される物理デバイスを備え得る。いくつかの実施形態によれば、メモリ７２５は、シリコンベースのトランジスタを備える集積回路を備え得る。さらに、メモリ７２５は、揮発性であってもよいし、不揮発性であってもよい。
【０１４３】
第１のネットワークノード１１０内で実行される上記で説明された行為６０１〜６０２は、行為６０１〜６０２の機能のうちの少なくともいくつかを実行するためのコンピュータプログラム製品とともに、第１のネットワークノード１１０内の１または複数のプロセッサ７２０によって実施され得る。したがって、プログラムコードを備えるコンピュータプログラムは、コンピュータプログラムが第１のネットワークノード１１０のプロセッサ７２０にロードされ得るとき、移動局１３０が少なくとも１つの他のネットワークノード１２０を監視することを可能にするために、不連続送信モードで動作する少なくとも１つの他のネットワークノード１２０に関する、第１のネットワークノード１１０からのタイミング情報を提供するための行為６０１〜６０２の機能のうちのいずれか、少なくともいくつか、またはすべてにより、方法６００を実行し得る。
【０１４４】
さらに、コンピュータプログラム製品は、移動局１３０が少なくとも１つの他のネットワークノード１２０を監視することを可能にするために、不連続送信モードで動作する少なくとも１つの他のネットワークノード１２０に関するタイミング情報を提供する目的で、第１のネットワークノード１１０によって使用されるためのその上にプログラムコードを記憶するコンピュータ可読記憶媒体を含み得、プログラムコードは、少なくとも１つの他のネットワークノード１２０の休止状態とアクティブ状態との状態切り換えと関連付けられた、および／または移動局１３０によって受信されることになる、少なくとも１つの他のネットワークノード１２０の監視動作と関連付けられたタイミング情報を含む信号を送信すること６０２を含む方法６００を実行するための命令を含む。
【０１４５】
上記で言及されたコンピュータプログラム製品は、たとえば、プロセッサ７２０にロードされるとき、いくつかの実施形態により行為６０１〜６０２のうちの少なくともいくつかを実行するためのコンピュータプログラムコードを搬送するデータキャリアの形態で提供され得る。データキャリアは、たとえば、ハードディスク、ＣＤ  ＲＯＭディスク、メモリスティック、光学式記憶デバイス、磁気記憶デバイス、または機械可読データを非一時的に保持し得るディスクもしくはテープなどの他の任意の適切な媒体であってよい。コンピュータプログラム製品は、そのうえ、サーバ上でコンピュータプログラムコードとして提供され、たとえばインターネットまたはイントラネット接続を通じて、第１のネットワークノード１１０に遠隔でダウンロードされてよい。
【０１４６】
図８は、第１のネットワークノード１１０から受信されたタイミング情報に基づいて、不連続送信モードで動作する少なくとも１つの他のネットワークノード１２０を監視するために移動局１３０において使用するための方法８００の実施形態を示す流れ図である。
【０１４７】
少なくとも１つの他のネットワークノード１２０を適切に監視するために、方法８００は、いくつかの行為８０１〜８０４を含み得る。
【０１４８】
しかしながら、異なる実施形態によれば、説明される行為８０１〜８０４のいずれか、いくつか、またはすべては、列挙が示すのとやや異なる時系列で実行されてもよいし、同時に実行されてもよいし、完全に逆の順序ですら実行されてもよいことが留意されるべきである。また、たとえば行為８０２および／または８０４などのいくつかの行為は、いくつかの代替的実施形態においてのみ実行されてよい。さらに、いくつかの行為は、異なる実施形態により複数の代替様式で実行されてよいこと、およびいくつかのそのような代替様式は、いくつかの実施形態において実行されてよいが、必ずしもすべての実施形態で実施されなくてよいことが留意されるべきである。方法８００は、以下の行為を含み得る。
【０１４９】
行為８０１
少なくとも１つの他のネットワークノード１２０の休止状態とアクティブ状態との状態切り換えと関連付けられた、および／または少なくとも１つの他のネットワークノード１２０の監視動作と関連付けられたタイミング情報を含む信号が受信される。この信号は、第１のネットワークノード１１０から受信される。
【０１５０】
タイミング情報は、いくつかの実施形態では、少なくとも１つの他のネットワークノード１２０の休止状態の残り時間の指示を含み得る。さらに、いくつかの実施形態では、タイミング情報は、少なくとも１つの他のネットワークノード１２０のアクティブ化の前に残された発見信号バーストの数を含み得る。いくつかの実施形態によれば、タイミング情報は、少なくとも１つの他のネットワークノード１２０の発見信号バーストの定期性の指示をさらに含み得る。
【０１５１】
さらに、いくつかの実施形態では、タイミング情報は、少なくとも１つの他のネットワークノード１２０の休止状態の潜在的な残り時間の推定値の集合を含み得る。
【０１５２】
いくつかの実施形態では、タイミング情報は、少なくとも１つの他のネットワークノード１２０の休止状態の残り時間の指示、少なくとも１つの他のネットワークノード１２０のアクティブ化の前に残された発見信号バーストの数、少なくとも１つの他のネットワークノード１２０の発見信号バーストの定期性の指示、および／または少なくとも１つの他のネットワークノード１２０の休止状態の潜在的残り時間の推定値のうちの１つもしくはその集合を含み得る。
【０１５３】
したがって、いくつかの実施形態では、移動局１３０は、少なくとも１つの他のネットワークノード１２０のアクティブ化の前に残された発見信号バーストの数および／または少なくとも１つの他のネットワークノード１２０の発見信号バーストの定期性を知ることによって、受信された情報に基づいて、他のネットワークノード１２０がいつアクティブモードに切り換わることになっているかを算出し得る。しかしながら、他の実施形態では、移動局１３０は、自身の計算によって、少なくとも１つの他のネットワークノード１２０の発見信号バーストの定期性を算出し得る。
【０１５４】
しかしながら、いくつかの実施形態では、タイミング情報は、不連続送信モードで動作する少なくとも１つの他のネットワークノード１２０の監視を移動局１３０が開始／停止する開示時間および／または停止時間を含み得る。したがって、いくつかのそのような実施形態によれば、タイミング情報を含む信号は、移動局１３０が監視を開始／停止するトリガとして機能し得る。そのような実施形態による利点は、より少ない算出が移動局１３０によってなされなければならず、それによって、移動局１３０の処理リソースおよびバッテリ容量を節約することである。タイミング情報は、移動局１３０をトリガして少なくとも１つの他のネットワークノード１２０の監視を開始および／または停止する単一ビットを含み得る。したがって、移動局１３０は、１に設定されたビットを受信したとき、あるいは受信されたビットが０に設定されているとき、少なくとも１つの他のネットワークノード１２０の監視を開始し得る。さらに、いくつかの実施形態では、移動局１３０は、０に設定されたビットを受信したとき、あるいは受信されたビットが１に設定されているとき、少なくとも１つの他のネットワークノード１２０の監視を停止し得る。これらの実施形態による利点、すなわち、１つの単一ビットを送信することによって移動局１３０をトリガして監視を開始／停止することは、小さな追加無線トラフィックが必要とされることである。したがって、シグナリングオーバーヘッドが必要とされ得る。
【０１５５】
そのうえ、タイミング情報は、１つのタイムラグまたはタイムラグの集合をさらに含み得、各タイムラグは、少なくとも１つの他のネットワークノード１２０の監視を移動局１３０が開始し得る遅延を示す。いくつかのそのような実施形態による利点は、第１のネットワークノード１１０が、まさに少なくとも１つの他のネットワークノード１２０の監視を移動局１３０が開始する瞬間ではなく、他の任意の前の好都合な瞬間に、タイミング情報を含む信号を送信し得ることである。また、第１のネットワークノード１１０は、場合によっては異なる瞬間に、異なる他のネットワークノード１２０の監視を移動局１３０が開始することを可能にする複数のトリガリング信号を送信し得る。
【０１５６】
そのうえ、タイミング情報は、少なくとも１つの他のネットワークノード１２０を監視するための少なくとも１つの時間ウィンドウを含み得る。
【０１５７】
送信された信号は、移動局固有であってもよいし、いくつかの実施形態では、移動局グループ固有であってもよい。
【０１５８】
そのうえ、信号は、いくつかの実施形態では、ＰＤＣＣＨおよび／またはＥＰＤＣＣＨなどの物理ダウンリンク制御チャネルの一部として送信され得る。また、いくつかの実施形態では、信号は、ＰＤＳＣＨなどの物理ダウンリンク共有チャネルまたは上位層ＲＲＣシグナリングを使用することによって送信され得る。
【０１５９】
行為８０２
この行為は、いくつかの実施形態において実行されてよいが、必ずしもすべての可能な実施形態で実行されなくてよい。
【０１６０】
いくつかの実施形態では、タイミング情報を受信すること８０１に基づいて、少なくとも１つの他のネットワークノード１２０が状態をアクティブ状態に切り換えることになっている瞬間が算出され得る。
【０１６１】
行為８０３
不連続送信モードで動作する少なくとも１つの他のネットワークノード１２０は、第１のネットワークノード１１０から受信された８０１タイミング情報に基づいて、移動局１３０によって監視される。
【０１６２】
行為８０２を含むいくつかの実施形態によれば、監視は、算出された８０２瞬間に始められ得る。
【０１６３】
さらに、少なくとも１つの他のネットワークノード１２０の監視は、少なくとも１つの他のネットワークノード１２０から受信された信号を測定することを含み得る。
【０１６４】
したがって、ＤＴＸモードで動作する他のネットワークノード１２０の監視は、１つの他のネットワークノードの存在を検出すること、ＤＴＸモードの他のネットワークノード１２０によって送信されたダウンリンク信号に基づいて測定（たとえば、ＲＲＭ／ＲＬＭ測定）を実行することと、発見信号の測定を移動局１３０から第１のネットワークノード１１０に報告することとを含み得る。ＤＴＸモードの他のネットワークノード１２０によって送信された信号の測定は、基準信号受信電力（ＲＳＲＰ）、基準信号受信品質（ＲＳＲＱ）、チャネル状態情報（ＣＳＩ）、チャネル品質インジケータ（ＣＱＩ）、信号対雑音および干渉比（ＳＩＮＲ）、信号対雑音比（ＳＮＲ）、信号対干渉比（ＳＩＲ）、信号対雑音＋干渉比（ＳＮＩＲ）、または信号の強度および／もしくは品質を反映する他の任意の適切な測定、および／またはある所望の信号と望ましくない干渉もしくは雑音との比からなるグループ内の１または複数を含んでよい。それによって、第１のネットワークノード１１０は、不連続送信モードで動作する少なくとも他のネットワークノード１２０に関連付けられた移動局１３０の監視動作をトリガし得る。さらに、監視の行為は、発見信号のなされた測定を移動局１３０から第１のネットワークノード１１０に報告することを含み得る。
【０１６５】
行為８０４
この行為は、いくつかの実施形態において実行されてよいが、必ずしもすべての可能な実施形態で実行されなくてよい。
【０１６６】
少なくとも１つの他のネットワークノード１２０から受信された信号の測定データは、送信され、第１のネットワークノード１１０によって受信され得る。それによって、第１のネットワークノード１１０は、たとえばハンドオーバアルゴリズムに従って移動局１３０を他のネットワークノード１２０にハンドオーバすることを決定するために、移動局１３０によって他のネットワークノード１２０から受信された信号の測定を利用し得る。
【０１６７】
図９は、第１のネットワークノード１１０から受信されたタイミング情報に基づいて、不連続送信モードで動作する少なくとも１つの他のネットワークノード１２０を監視するために構成された移動局１３０の実施形態を示す。
【０１６８】
移動局１３０は、不連続送信モードで動作する少なくとも１つの他のネットワークノード１２０を監視するための、前に説明された行為８０１〜８０３のうちの少なくともいくつかにより、方法８００を実行するために構成される。
【０１６９】
強化されたわかりやすさのために、本明細書で説明される実施形態を理解するために完全に不可欠であるとは限らない、移動局１３０の任意の内部電子機器または他の構成要素は図９から省略されている。
【０１７０】
移動局１３０は、少なくとも１つの他のネットワークノード１２０の休止状態とアクティブ状態との状態切り換えと関連付けられた、および／または少なくとも１つの他のネットワークノード１２０の監視動作と関連付けられたタイミング情報を含む信号を受信するために構成された受信機９１０を備える。
【０１７１】
受信機９１０は、ワイヤード信号を、あるいはワイヤレスインタフェースを通じて無線信号を、受信するために構成され得る。信号は、いくつかの実施形態によれば、たとえば、第１のネットワークノード１１０、他のネットワークノード１２０、またはワイヤレス通信システム１００内での通信のために構成された他の任意のエンティティから受信され得る。
【０１７２】
さらに、移動局１３０は、受信されたタイミング情報に従って、不連続送信モードで動作する少なくとも１つの他のネットワークノード１２０を監視するために構成されたプロセッサ９２０も含み得る。さらに、いくつかの実施形態によれば、プロセッサ９２０は、受信されたタイミング情報に基づいて少なくとも１つの他のネットワークノード１２０が状態をアクティブ状態に切り換えることになっている瞬間を算出するために構成されてよく、また、算出された瞬間に他のネットワークノード１２０の監視を始めるように構成されてよい。プロセッサ９２０は、少なくとも１つの他のネットワークノード１２０から受信された信号を測定するためにさらに構成され得る。
【０１７３】
そのようなプロセッサ９２０は、処理回路、すなわち、中央処理装置（ＣＰＵ）、処理ユニット、処理回路、プロセッサ、特定用途向け集積回路（ＡＳＩＣ）、マイクロプロセッサ、または命令を解釈および実行し得る他の処理ロジックの１または複数のインスタンスを含み得る。したがって、本明細書で利用される「プロセッサ」という表現は、たとえば、上記で列挙されたもののうちのいずれか、いくつか、またはすべてなどの、複数の処理回路を備える処理回路を表し得る。
【０１７４】
そのうえ、移動局１３０は、たとえば信号測定を含むワイヤレス信号を送信するために構成された送信機９３０も備え得る。そのような信号は、異なる実施形態によれば、ワイヤードインタフェースを通じて送信されてもよいし、ワイヤレスインタフェースを通じて送信されてもよい。送信機９３０は、いくつかの実施形態では、第１のネットワークノード１１０によって受信されることになる、少なくとも１つの他のネットワークノード１２０から受信された信号の測定データを送信するために構成され得る。
【０１７５】
そのうえ、移動局１３０は、いくつかの実施形態によれば、少なくとも１つのメモリ９２５をさらに備え得る。任意選択のメモリ９２５は、データまたはプログラムすなわち命令のシーケンスを一時的または永続的に記憶するために利用される物理デバイスを備え得る。いくつかの実施形態によれば、メモリ９２５は、シリコンベースのトランジスタを備える集積回路を備え得る。さらに、メモリ９２５は、揮発性であってもよいし、不揮発性であってもよい。
【０１７６】
移動局１３０内で実行される上記で説明された行為８０１〜８０４は、行為８０１〜８０４の機能のうちの少なくともいくつかを実行するためのコンピュータプログラム製品とともに、移動局１３０内の１または複数のプロセッサ９２０によって実施され得る。したがって、移動局１３０において行為８０１〜８０４を実行するための命令を含むコンピュータプログラム製品は、コンピュータプログラムが移動局１３０のプロセッサ９２０にロードされるとき、第１のネットワークノード１１０から受信されたタイミング情報に基づいて、不連続送信モードで動作する少なくとも１つの他のネットワークノード１２０を監視するための方法行為８０１〜８０４のうちの少なくともいくつかを含む方法８００を実行し得る。
【０１７７】
したがって、第１のネットワークノード１１０から受信されたタイミング情報に基づいて、不連続送信モードで動作する少なくとも１つの他のネットワークノード１２０を監視するために、移動局１３０によって使用されるための、その上にプログラムコードを記憶するコンピュータ可読記憶媒体を備えるコンピュータプログラム製品。このプログラムコードは、少なくとも１つの他のネットワークノード１２０の休止状態とアクティブ状態との状態切り換えと関連付けられた、および／または少なくとも１つの他のネットワークノード１２０の監視動作と関連付けられたタイミング情報を含む信号を受信すること８０１を含む方法８００を実行するための命令を含み得る。また、方法８００は、受信された８０１タイミング情報に基づいて、不連続送信モードで動作する少なくとも１つの他のネットワークノード１２０を監視すること８０３を含む。
【０１７８】
上記で言及されたコンピュータプログラム製品は、たとえば、移動局１３０のプロセッサ９２０にロードされるとき、いくつかの実施形態により行為８０１〜８０４のうちの少なくともいくつかを実行するためのコンピュータプログラムコードを搬送するデータキャリアの形態で提供され得る。データキャリアは、たとえば、ハードディスク、ＣＤ  ＲＯＭディスク、メモリスティック、光学式記憶デバイス、磁気記憶デバイス、または機械可読データを非一時的に保持し得るディスクもしくはテープなどの他の任意の適切な媒体であってよい。コンピュータプログラム製品は、そのうえ、サーバ上でコンピュータプログラムコードとして提供され、たとえばインターネットまたはイントラネット接続を通じて、移動局１３０に遠隔でダウンロードされてよい。
【０１７９】
添付の図面に示される実施形態の説明で使用される用語は、説明される方法６００、８００、第１のネットワークノード１１０、および／または移動局１３０の制限であることが意図されたものではない。添付の特許請求の範囲によって定義された本発明から逸脱することなく、さまざまな変更、置き換え、および／または改変がなされ得る。
【０１８０】
本明細書で使用されるとき、「および／または」という用語は、関連付けられた挙げられた項目のうちの１または複数のすべての組み合わせを含む。さらに、別段に明記されていない限り、「ａ」、「ａｎ」、および「ｔｈｅ」という単数形は、「少なくとも１つの」と解釈されるべきであり、したがってまた場合によっては、同じ種類の複数のエンティティを含む。「含む（ｉｎｃｌｕｄｅｓ）」、「備える、含む（ｃｏｍｐｒｉｓｅｓ）」、「含む（ｉｎｃｌｕｄｉｎｇ）」、および／または「備える、含む（ｃｏｍｐｒｉｓｉｎｇ）」という用語は、述べられた特徴、行為、整数、ステップ、動作、要素、および／または構成要素の存在を指定するが、１または複数の他の特徴、行為、整数、ステップ、動作、要素、構成要素、および／またはこれらのグループの存在または追加を排除しないことがさらに理解されよう。たとえばプロセッサなどの単一ユニットは、特許請求の範囲に列挙されたいくつかの項目の機能を満たし得る。ある手段が相互に異なる従属請求項に記載されるという単なる事実は、これらの手段の組み合わせが有利に使用不可能であることを示さない。コンピュータプログラムは、他のハードウェアとともに供給されるまたはその一部として光学式記憶媒体またはソリッドステート媒体などの適切な媒体上に記憶／分散されてよいが、また、インターネットまたは他のワイヤード通信システムもしくはワイヤレス通信システムなどを通じて他の形態で分散されてもよい。
【図１】
0006323964.tif 000007
【図２】
0006323964.tif 000008
【図３】
0006323964.tif 000009
【図４】
0006323964.tif 000010
【図５】
0006323964.tif 000011
【図６】
0006323964.tif 000012
【図７】
0006323964.tif 000013
【図８】
0006323964.tif 000014
【図９】
0006323964.tif 000015